(57)【要約】通信システム（１００）は、回線サービス・ネットワーク（１１０）の基地局（ＢＳ）（１１２）およびパケット・データ・ネットワーク（１３０）の無線パケット・データ・ノード（１３４）において終端するインターフェースと、ＢＳとアクセス端末（ＡＴ）（１０２）の間のＤＯＳオーバＤＢＭシグナリングとを使用し、それにより、通信システムは、ＢＳおよびパケット・データ・ノードを介してＡＴとＩＭＸネットワークの間でＳＩＰメッセージングをトンネリングさせ、かつパケット・データ・ネットワークからＡＴにＢＳを介してＨＲＰＤトラフィック・チャネル情報およびＨＲＰＤ識別子をトンネリングさせることが可能になる。これにより、ＡＴがパケット・データ・ネットワークとコール・ダイアログを確立する前に、ＡＴが関与する音声コールのハンドオフが、回線サービス・ネットワークからパケット・データ・ネットワークに対して開始されることが可能になる。
2009539328.tif 000002
【特許請求の範囲】
【請求項１】
音声コールを回線サービス・ネットワークからパケット・データ・ネットワークにネットワーク間ハンドオフを実行する方法であって、
該回線サービス・ネットワークを介して、順方向リンク音声トラフィックをアクセス端末に搬送し、逆方向リンク音声トラフィックをアクセス端末から受信すること、
該コールのハンドオフの実行を決定すること、
該コールのハンドオフの実行を決定したことに応答して、該コールを続けながら、該コールをボイス・オーバ・インターネット・プロトコル（ＶｏＩＰ）コールとして該パケット・データ・ネットワークにハンドオフを実行する要求を該回線サービス・ネットワークの基地局によって該パケット・データ・ネットワークの無線パケット・データ・ノードに搬送すること、
該要求を搬送したことに応答して、ハンドインをＶｏＩＰコールとして受け入れる確認を該パケット・データ・ネットワークから受信すること、
パケット・データ・トラフィック・チャネルと、該パケット・データ・トラフィック・チャネルに関連する情報と、該パケット・データ・ネットワークへのハンドオフを容易にする新しいアクティブ・セットとを含むメッセージングを該基地局によって該アクセス端末に搬送すること、
該パケット・データ・ネットワークにおける基地局によって該アクセス端末を獲得すること、
該パケット・データ・ネットワークによって該アクセス端末にパケット・データ・サービスを提供すること
を備える方法。
【請求項２】
メッセージングを前記基地局によって前記アクセス端末に搬送することが、前記基地局によってパケット・データ・ネットワークの無線信号を前記アクセス端末に搬送することを含む、請求項１に記載の方法。
【請求項３】
前記基地局によってパケット・データ・ネットワークの無線信号を前記アクセス端末に搬送することが、回線サービス・ネットワークのデータ・バースト・メッセージ上でパケット・データ・ネットワークのデータ・オーバ・シグナリング・メッセージを搬送することを含む、請求項２に記載の方法。
【請求項４】
前記パケット・データ・ノードによってアクセス端末識別子を決定することをさらに備え、前記パケット・データ・ネットワークから確認を受信することが、前記パケット・データ・ノードから該アクセス端末識別子を受信することを含む、請求項１に記載の方法。
【請求項５】
前記パケット・データ・ネットワークから確認を受信することが、前記パケット・データ・ネットワークからトラフィック・チャネル割当て情報を受信することを含む、請求項１に記載の方法。
【請求項６】
前記パケット・データ・ノードによって、前記アクセス端末が前記パケット・データ・ネットワークにおいてアンカリングされたパケット・データ・セッションを有すると判断すること、
該アンカリングされたパケット・データ・セッションに関連付けられたアクセス端末識別子を決定すること
をさらに備える、請求項１に記載の方法。
【請求項７】
前記パケット・データ・ノードによって、前記アクセス端末が前記パケット・データ・ネットワークにおいてアンカリングされたパケット・データ・セッションを有していないと判断すること、
前記コールのハンドオフを実行する前記要求を受信したことに応答して、以前に予約されたパケット・データ・セッションおよびアクセス端末識別子を前記パケット・データ・ノードによって前記アクセス端末に割り当てること
をさらに備える、請求項１に記載の方法。
【請求項８】
前記パケット・データ・ネットワークによって、事前に構成されたセッション状態情報記録を維持することをさらに備え、
前記アクセス端末が、前記パケット・データ・ネットワークにおいてアンカリングされたパケット・データ・セッションを有さないとき、前記アクセス端末にパケット・データ・サービスを提供することが、無線で前記アクセス端末とセッション状態情報記録を最初に交渉せずに、該維持されたセッション状態情報記録に基づいて、前記アクセス端末にパケット・データ・サービスを提供することを備える、請求項１に記載の方法。
【請求項９】
前記コールのハンドオフを実行する要求を前記回線サービス・ネットワークの基地局によって前記パケット・データ・ネットワークの無線パケット・データ・ノードに搬送することが、前記コールを前記パケット・データ・ネットワークにハンドオフを実効する要求を、前記回線サービス・ネットワークの基地局によって、前記回線サービス・ネットワークの前記基地局および前記パケット・データ・ネットワークの前記無線パケット・データ・ノードにおいて終端するインターフェースを介して、前記パケット・データ・ネットワークの無線パケット・データ・ノードに搬送することを含む、請求項１に記載の方法。
【請求項１０】
前記コールのハンドオフを実行する要求を前記回線サービス・ネットワークの基地局によって前記パケット・データ・ネットワークの無線パケット・データ・ノードに搬送することが、前記コールを利用可能なリソースを要求するメッセージを、前記回線サービス・ネットワークの基地局によって、前記パケット・データ・ネットワークの無線パケット・データ・ノードに搬送することを含む、請求項９に記載の方法。
【請求項１１】
トラフィック・チャネル割当て情報を前記パケット・データ・ノードによって無線アクセス・ネットワーク間インターフェースを介して前記基地局に搬送することをさらに備える、請求項１に記載の方法。
【請求項１２】
前記無線アクセス・ネットワーク間インターフェースが、Ａ２１インターフェースを含み、前記パケット・データ・ノードによってトラフィック・チャネル割当て情報を前記基地局に搬送することが、該Ａ２１インターフェースを介してＡ２１−リソース割付け応答メッセージを前記パケット・データ・ノードによって前記基地局に搬送することを含む、請求項１１に記載の方法。
【請求項１３】
プロキシ・コール・セッション・コントロール機能発見メッセージングをＡ２１インターフェースおよび前記基地局を介して前記アクセス端末から前記パケット・データ・ノードに搬送すること、
前記パケット・データ・ノードによって、該発見メッセージングをインターネット・プロトコル・マルチメディア・コア・ネットワーク・サブシステムに経路指定すること
をさらに備える、請求項１に記載の方法。
【請求項１４】
データ・バースト・メッセージ上でデータ・オーバ・シグナリング・メッセージを使用して、Ａ２１インターフェースおよび前記基地局を介して、セッション開始プロトコル・メッセージングを前記アクセス端末から前記パケット・データ・ノードにトンネリングさせることをさらに備える、請求項１に記載の方法。
【請求項１５】
音声コールを回線サービス・ネットワークからパケット・データ・ネットワークにネットワーク間ハンドオフを実行することを提供する通信システムであって、
回線交換音声コールを使用可能で、かつ、順方向リンクを介して順方向リンク音声トラフィックをアクセス端末に送信し、該回線交換音声コールの一部として逆方向リンクを介して逆方向リンク音声トラフィックを該アクセス端末から受信し、該コールを該パケット・データ・ネットワークにハンドオフを実行することを決定し、該コールのハンドオフを実行することを決定したことに応答して、該コールを続けながら、該コールをボイス・オーバ・インターネット・プロトコル（ＶｏＩＰ）コールとして該パケット・データ・ネットワークにハンドオフする要求を該パケット・データ・ネットワークのパケット・データ・ノードに搬送し、ハンドオフを実行する該要求を搬送したことに応答して、該パケット・データ・ネットワークがハンドインをＶｏＩＰコールとして受け入れる確認を受信し、パケット・データ・トラフィック・チャネル、該パケット・データ・トラフィック・チャネルに関連する情報、および該パケット・データ・ネットワークへのハンドオフの実行を容易にする新しいアクティブ・セットを含むメッセージングを該アクセス端末に搬送するように構成される基地局と、
該基地局と通信し、かつ、該コールのハンドオフを実行する該要求を該基地局から受信し、該要求を受信したことに応答して、ハンドインをＶｏＩＰコールとして受け入れる確認を該基地局に搬送し、該アクセス端末を獲得し、該アクセス端末にパケット・データ・サービスを提供するように構成される該パケット・データ・ネットワークのパケット・データ・ノードと
を備える通信システム。
【請求項１６】
前記基地局が、前記パケット・データ・ネットワークからパケット・データ・ネットワークの無線信号を受信し、該パケット・データ・ネットワーク・無線信号を前記アクセス端末に搬送することによってメッセージングを前記アクセス端末に搬送するように構成される、請求項１５に記載の通信システム。
【請求項１７】
前記基地局が、回線サービス・ネットワークのデータ・バースト・メッセージ上でパケット・データ・ネットワークのデータ・オーバ・シグナリング・メッセージを搬送することによって、パケット・データ・ネットワークの無線信号を前記アクセス端末に搬送するように構成される、請求項１６に記載の通信システム。
【請求項１８】
前記パケット・データ・ノードが、前記アクセス端末に関連付けられたアクセス端末識別子を決定し、該アクセス端末識別子を前記基地局に搬送するように構成され、前記基地局が、該アクセス端末識別子を前記アクセス端末に搬送するように構成される、請求項１５に記載の通信システム。
【請求項１９】
前記パケット・データ・ノードが、前記コールのハンドオフを実行する前記要求を受信したことに応答して、トラフィック・チャネル割当て情報を前記基地局に搬送するように構成される、請求項１５に記載の通信システム。
【請求項２０】
前記アクセス端末が、前記パケット・データ・ネットワークにおいてアンカリングされたパケット・データ・セッションを有すると前記パケット・データ・ノードが判断し、該アンカリングされたパケット・データ・セッションに関連付けられるアクセス端末識別子を決定することによってアクセス端末識別子を決定するように構成される、請求項１５に記載の通信システム。
【請求項２１】
前記アクセス端末が、前記パケット・データ・ネットワークにおいてアンカリングされたパケット・データ・セッションを有していないと前記パケット・データ・ノードが判断し、前記コールのハンドオフを実行する前記要求を受信したことに応答して、以前に予約されたパケット・データ・セッションおよびアクセス端末識別子を前記アクセス端末に割り当てるように構成される、請求項１５に記載の通信システム。
【請求項２２】
前記基地局が、前記パケット・データ・ネットワークから前記アクセス端末識別子を受信することによって前記パケット・データ・ネットワークから確認を受信するように構成され、前記基地局が、前記アクセス端末識別子を前記アクセス端末に搬送するようにさらに構成される、請求項２１に記載の通信システム。
【請求項２３】
前記パケット・データ・ネットワークが、事前に構成されたセッション状態情報記録を維持し、前記アクセス端末が前記パケット・データ・ネットワークにおいてアンカリングされたパケット・データ・セッションを有していないとき、前記パケット・データ・ノードが、無線でセッション状態情報記録を前記アクセス端末とまず交渉せずに、該維持されたセッション状態情報記録に基づいて、前記アクセス端末にパケット・データ・サービスを提供することによって、前記アクセス端末にパケット・データ・サービスを提供するように構成される、請求項１５に記載の通信システム。
【請求項２４】
前記基地局が、前記コールを前記パケット・データ・ネットワークにハンドオフを実効する要求を、前記回線サービス・ネットワークの前記基地局および前記パケット・データ・ネットワークのパケット・データ・ノードにおいて終端するインターフェースを介して、前記パケット・データ・ノードに搬送するように構成される、請求項１５に記載の通信システム。
【請求項２５】
前記基地局が、前記コールを支援するリソースを要求するメッセージを搬送することによって、前記コールを前記パケット・データ・ネットワークにハンドオフする要求を前記パケット・データ・ノードに搬送するように構成される、請求項２４に記載の通信システム。
【請求項２６】
前記パケット・データ・ノードが、無線アクセス・ネットワーク間インターフェースを介してパケット・データ・トラフィック・チャネル情報を前記基地局に搬送するように構成される、請求項１５に記載の通信システム。
【請求項２７】
前記無線アクセス・ネットワーク間インターフェースが、Ａ２１インタェースを備え、前記パケット・データ・ノードが、該Ａ２１インターフェースを介してＡ２１−リソース割付け応答メッセージを搬送することによって、前記トラフィック・チャネル割当て情報を前記基地局に搬送する、請求項２６に記載の通信システム。
【請求項２８】
前記基地局が、前記アクセス端末からプロキシ・コール・セッション・コントロール機能発見メッセージングを受信し、Ａ２１インターフェースを介して該プロキシ・コール・セッション・コントロール機能発見メッセージングを前記パケット・データ・ノードに搬送するように構成され、前記パケット・データ・ノードが、該発見メッセージングをインターネット・プロトコル・マルチメディア・コア・ネットワーク・サブシステムに経路指定するように構成される、請求項１５に記載の通信システム。
【請求項２９】
前記基地局が、データ・バースト・メッセージ上でデータ・オーバ・シグナリング・メッセージを使用して前記アクセス端末からセッション開始プロトコル（ＳＩＰ）メッセージングを受信し、Ａ２１インターフェースを介して該ＳＩＰメッセージングを前記パケット・データ・ノードに経路指定するように構成される、請求項１５に記載の通信システム。
【請求項３０】
回線交換音声コールを使用し、かつ、順方向リンクを介して順方向リンク音声トラフィックをアクセス端末に送信し、該回線交換音声コールの一部として逆方向リンクを介して逆方向リンク音声トラフィックを該アクセス端末から受信し、該コールを該パケット・データ・ネットワークにハンドオフの実行を決定し、該コールのハンドオフの実行を決定したことに応答して、該コールを続けながら、該コールをボイス・オーバ・インターネット・プロトコル（ＶｏＩＰ）コールとして該パケット・データ・ネットワークにハンドオフを実行する要求を該パケット・データ・ネットワークの無線パケット・データ・ノードに搬送し、ハンドオフする該要求を搬送したことに応答して、該パケット・データ・ネットワークによってハンドインをＶｏＩＰコールとして受け入れる確認を該パケット・データ・ノードから受信し、パケット・データ・トラフィック・チャネル、該パケット・データ・トラフィック・チャネルに関連する情報、および該パケット・データ・ネットワークへのハンドオフの実行を容易にする新しいアクティブ・セットを含むメッセージングを該アクセス端末に搬送するように構成される、基地局。
【請求項３１】
前記コールをハンドオフする前記要求を搬送し、前記回線サービス・ネットワークの前記基地局および前記パケット・データ・ネットワークのパケット・データ・ノードにおいて終端するインターフェースを介して、前記コールの前記ハンドインを受け入れる前記確認を受信するように構成される、請求項３０に記載の基地局。
【請求項３２】
前記インターフェースがＡ２１インターフェースを含み、前記基地局が、前記コールを前記パケット・データ・ネットワークにハンドオフを実行する前記要求を含むＡ２１−リソース割付け要求メッセージをアセンブルして、該Ａ２１インターフェースを介して前記パケット・データ・ノードに搬送し、応答してアクセス端末識別子およびトラフィック・チャネル割当て情報を備える該Ａ２１インターフェースを介して、前記パケット・データ・ノードからＡ２１−リソース割付け応答メッセージを受信するように構成される、請求項３１に記載の基地局。
【請求項３３】
前記パケット・データ・ネットワークからパケット・データ・ネットワークの無線信号を受信し、該パケット・データ・ネットワークの無線信号を前記アクセス端末に搬送することによって、メッセージングを前記アクセス端末に搬送するように構成される、請求項３０に記載の基地局。
【請求項３４】
回線サービス・ネットワークのデータ・バースト・メッセージ上でパケット・データ・ネットワークのデータ・オーバ・シグナリング・メッセージを搬送することによって、パケット・データ・ネットワークの無線信号を前記アクセス端末に搬送するように構成される、請求項３３に記載の基地局。
【請求項３５】
前記パケット・データ・ネットワークからアクセス端末識別子を受信することによって前記パケット・データ・ネットワークから確認を受信するように構成され、該アクセス端末識別子を前記アクセス端末に搬送するようにさらに構成される、請求項３０に記載の基地局。
【請求項３６】
前記コールを使用可能なリソースを要求するメッセージを搬送することによって、前記コールを前記パケット・データ・ネットワークにハンドオフを実行する要求を前記パケット・データ・ノードに搬送するように構成される、請求項３０に記載の基地局。
【請求項３７】
前記アクセス端末からプロキシ・コール・セッション・コントロール機能発見メッセージングを受信し、Ａ２１インターフェースを介して該プロキシ・コール・セッション・コントロール機能発見メッセージングを前記パケット・データ・ネットワークに搬送するように構成される、請求項３０に記載の基地局。
【請求項３８】
データ・バースト・メッセージ上でデータ・オーバ・シグナリング・メッセージングを使用して前記アクセス端末からセッション開始プロトコル（ＳＩＰ）メッセージを受信し、Ａ２１インターフェースを介して該ＳＩＰメッセージングを前記パケット・データ・ネットワークに経路指定するように構成される、請求項３０に記載の基地局。
【請求項３９】
パケット交換音声コールを使用し、アクセス端末に関連付けられた音声コールを、無線パケット・データ・ノードを備えるパケット・データ・ネットワークにボイス・オーバ・インターネット・プロトコル（ＶｏＩＰ）コールとしてハンドオフを実行する要求を回線サービス・ネットワークの基地局から受信するように構成され、該要求を受信したことに応答して、該コールのハンドインをＶｏＩＰコールとして受け入れる確認を搬送し、該アクセス端末を獲得し、該アクセス端末にパケット・データ・サービスを提供する、無線パケット・データ・ノード。
【請求項４０】
前記アクセス端末に関連付けられたアクセス端末識別子を決定し、該アクセス端末識別子を前記基地局に搬送するように構成される、請求項３９に記載の無線パケット・データ・ノード。
【請求項４１】
前記コールのハンドオフを実行する前記要求を受信したことに応答して、トラフィック・チャネル割当て情報を前記基地局に搬送するように構成される、請求項３９に記載の無線パケット・データ・ノード。
【請求項４２】
前記アクセス端末が前記パケット・データ・ネットワークにおいてアンカリングされたパケット・データ・セッションを有すると判断し、ドーマント・パケット・データ・セッションに関連付けられるアクセス端末識別子を決定するように構成される、請求項３９に記載の無線パケット・データ・ノード。
【請求項４３】
前記固定されたパケット・データ・セッションに関連付けられた無線リンク・プロトコル（ＲＬＰ）フローを決定し、該ＲＬＰフローを前記基地局に通知するように構成される、請求項４２に記載の無線パケット・データ・ノード。
【請求項４４】
前記アクセス端末が前記パケット・データ・ネットワークにおいてアンカリングされたパケット・データ・セッションを有していないと判断し、以前に予約されたパケット・データ・セッションおよびアクセス端末識別子を前記アクセス端末に割り当てることによってアクセス端末識別子を決定するように構成される、請求項３９に記載の無線パケット・データ・ノード。
【請求項４５】
無線アクセス・ネットワーク間インターフェースを介して、パケット・データ・トラフィック・チャネル情報を前記基地局に搬送するように構成される、請求項３９に記載の無線パケット・データ・ノード。
【請求項４６】
Ａ２１インターフェースを介して、前記コールを前記パケット・データ・ネットワークにハンドオフを実行する前記要求を含むＡ２１−リソース割付け要求メッセージを受信するように構成され、Ａ２１−リソース割付け要求メッセージをアセンブルして、該Ａ２１インターフェースを介して前記基地局に搬送することによって、前記確認を搬送するようにさらに構成される、請求項３９に記載の無線パケット・データ・ノード。
【請求項４７】
事前に構成されたセッション状態情報記録を維持し、前記アクセス端末が前記パケット・データ・ネットワークにおいてアンカリングされたパケット・データ・セッションを有していないとき、無線でセッション状態情報記録を前記アクセス端末とまず交渉せずに、該維持されたセッション状態情報記録に基づいて、前記アクセス端末にパケット・データ・サービスを提供することによって、前記アクセス端末にパケット・データ・サービスを提供するように構成される、請求項３９に記載の無線パケット・データ・ノード。
【請求項４８】
前記基地局からプロキシ・コール・セッション・コントロール機能発見メッセージングを受信し、該発見メッセージングをインターネット・プロトコル・マルチメディア・コア・ネットワーク・サブシステムに経路指定するように構成される、請求項３９に記載の無線パケット・データ・ノード。
【発明の詳細な説明】
【技術分野】
【０００１】
本発明は、一般的には、無線通信システムに関し、より具体的には、異なるエア・インターフェース技術を実施するセルラ通信ネットワーク間におけるアクセス端末のハンドオーバに関する。
【０００２】
本願は、本願の権利者が所有し、その全体を本願明細書に組み込む、２００６年５月３０日に出願された「ＭＥＴＨＯＤ  ＡＮＤ  ＳＹＳＴＥＭ  ＦＯＲ  ＩＮＴＥＲ−ＴＥＣＨＮＯＬＯＧＹ  ＨＡＮＤＯＦＦ  ＯＦ  ＡＮ  ＡＣＣＥＳＳ  ＴＥＲＭＩＮＡＬ」と題された仮出願第６０／８０９２７０号の優先権を主張する。
【背景技術】
【０００３】
セルラ通信の発展により、技術が異なり、対応するエア・インターフェースが異なるネットワークが広まった。その結果、単一のコール中に、無線モバイル局が複数の無線アクセス・ネットワーク（ＲＡＮ）間においてローミングすることが可能であり、そのような各ＲＡＮは、複数のＲＡＮの他のＲＡＮとは異なる技術を実施する。異なるパケット・データ・ネットワーク技術のいくつかの例には、１ｘＥＶ−ＤＯ（１ｘ  Ｅｖｏｌｕｔｉｏｎ  Ｄａｔａ  Ｏｎｌｙ）としても知られるｃｄｍａ２０００高速パケット・データ（ＨＲＰＤ）、ｃｄｍａ２０００  １ＸＲＴＴ、ｃｄｍａ２０００  １ｘ−ＥＶ−ＤＶ（１ｘ  Ｅｖｏｌｕｔｉｏｎ  Ｄａｔａ／Ｖｏｉｃｅ）、ＩＥＥＥ８０２．１ｌｂ／ｇ、およびＩＥＥＥ８０２．１６がある。回線ＲＡＮの例は、回線音声サービスまたは回線データ・サービスのみを提供するｃｄｍａ２０００  １Ｘ  ＲＡＮである。
【０００４】
モバイル局が、ｃｄｍａ２０００  １Ｘ  ＲＡＮなどの回線サービスＲＡＮ内、およびパケット・データ・サービスを提供するパケット・データＲＡＮ内でローミングする際、モバイル局を回線サービスＲＡＮからパケット・データＲＡＮにハンドオフすることが、システムの性能にとって有利である可能性がある。たとえば、フェーディング、隣接チャネルおよび同一チャネルの干渉、ならびにサービスしているベース局（ＢＳ）または無線アクセス・ネットワーク（ＲＡＮ）における利用可能電力などの因子のために、パケット・データＲＡＮに関連付けられたチャネル状態は、回線サービスＲＡＮに関連付けられたチャネル状態より好適である可能性がある。他の例として、レガシ回線ネットワークおよびＨＲＰＤネットワークの両方のオペレータが、システムのローディングのために、そのような１つのネットワークから他のネットワークにモバイル局を移動させることを望む可能性がある。
【０００５】
現在、レガシｃｄｍａ２０００  １Ｘ回線サービスＲＡＮからＨＲＰＤパケット・データＲＡＮへのハンドオフを実行する唯一の確立された方法は、３ＧＰＰ２（第３世代パートナーシップ・プロジェクト２）Ａ．Ｓ０００８−Ｂ  ｖ０．２およびＡ．Ｓ０００９−Ｂｖ０．２  ＨＲＰＤ  Ｉｎｔｅｒ  Ｏｐｅｒａｂｉｌｉｔｙ  Ｓｐｅｃｉｆｉｃａｔｉｏｎ（ＩＯＳ）規格（Ｖ＆Ｖバージョン）によって確立されたドーマント・ハード・ハンドオフを実行するものであり、モバイル局が、ドーマントになり、第１世代のｃｄｍａ２０００技術のネットワークの無線リソースを削除し、次いで第２世代のｃｄｍａ２０００技術のネットワークの無線リソースを獲得しなければならない。その結果、モバイル局がどちらのネットワークとの通信セッションにも能動的に従事していない短い時間間隔が生じる。さらに、ドーマント・ハード・ハンドオフを実行するとき、モバイル局が、どちらのネットワークのＢＳまたはＡＮからも補助されずに、第１世代のネットワークを削除して、第２世代のネットワークを獲得しなければならないので、２つのネットワークは連結されていない。その結果、音声／データ・トラフィックがハンドオフ中に失われ、システムの性能および効率が不十分になり、エンド・ユーザが不満を持つことがある。
【０００６】
したがって、モバイル局がハンドオフ中にどちらのネットワークとの通信セッションにも能動的に従事していない時間量を最小限にし、回線の音声サービスおよびデータ・サービスの支援を提供する回線サービスＲＡＮからパケット・データ・サービスの支援を提供するパケット・データＲＡＮへの通信セッションの能動的なハード・ハンドオフを実施する方法および装置が必要である。
【発明を実施するための最良の形態】
【０００７】
回線サービス・ネットワークからパケット・データ・ネットワークへの通信セッションのハンドオフを実施する方法および装置が必要であることに対処するために、回線サービス・ネットワークの基地局（ＢＳ）とパケット・データ・ネットワークのパケット・データ・ノードとにおいて終端するインターフェースと、ＢＳとアクセス端末（ＡＴ）との間におけるＤＯＳオーバＤＢＭシグナリングとを使用し、それにより、通信システムが、ＡＴとパケット・データ・ノードの間でＢＳを介してＳＩＰメッセージングをトンネリングさせて、パケット・データ・ネットワークからＡＴにＢＳを介してＨＲＰＤトラフィック・チャネル情報およびＨＲＰＤ識別子をトンネリングさせることが可能になる通信システムが提供される。それにより、ＡＴがパケット・データ・ネットワークとコール・ダイアログを確立する前に、ＡＴが関与する音声コールを回線サービス・ネットワークからパケット・データ・ネットワークにハンドオフすることが開始されることが可能である。パケット・データ・ネットワーク、具体的には無線パケット・データ・ノードとＡＴの間で、回線サービス・ネットワーク、具体的にはＢＳを介してハンドオフ情報を交換することを容易にすることによって、ハンドオフの待ち時間遅延が低減される。
【０００８】
一般的には、本発明の実施形態は、パケット・データ・ネットワーク上で回線音声コールを回線サービス・ネットワークからボイス・オーバ・インターネット・プロトコル（ＶｏＩＰ）コールにネットワーク間ハンドオフする方法を含む。方法は、回線サービス・ネットワークを介して、順方向リンク音声トラフィックをＡＴに搬送し、逆方向リンク音声トラフィックをＡＴから受信すること、コールをハンドオフすることを決定することを含む。方法は、コールをハンドオフすることを決定したことに応答して、コールの支援を続けながら、コールをＶｏＩＰコールとしてパケット・データ・ネットワークにハンドオフする要求を回線サービス・ネットワークのＢＳによってパケット・データ・ネットワークの無線パケット・データ・ノードに搬送すること、要求を搬送したことに応答して、ハンドインをＶｏＩＰコールとして受け入れる確認をパケット・データ・ネットワークから受信することをさらに含む。方法は、パケット・データ・ネットワークに関連付けられた情報およびパケット・データ・ネットワークへのハンドオフを容易にする新しいアクティブ・セットをＢＳによってＡＴに搬送すること、パケット・データ・ネットワークによってＡＴを獲得すること、ＡＴにパケット・データ・サービスを提供することをさらに含む。
【０００９】
本発明の他の実施形態は、回線サービス・ネットワークからパケット・データ・ネットワークへの音声コールのネットワーク間ハンドオフを提供する通信システムを包含する。システムは、回線交換音声コールを支援し、かつ順方向リンクを介して順方向リンク音声トラフィックをＡＴに送信し、回線交換音声コールの一部として逆方向リンクを介して逆方向リンク音声トラフィックをＡＴから受信するＢＳを含む。ＢＳは、さらに、コールをパケット・データ・ネットワークにハンドオフすることを決定し、コールをハンドオフすることを決定したことに応答して、コールの支援を続けながら、コールをＶｏＩＰコールとしてパケット・データ・ネットワークにハンドオフする要求をパケット・データ・ネットワークのパケット・データ・ノードに搬送し、ハンドオフする要求を搬送したことに応答して、パケット・データ・ネットワークがハンドインをＶｏＩＰコールとして受け入れる確認を受信し、パケット・データ・ネットワークに関連付けられたＡＴ情報およびパケット・データ・ネットワークへのハンドオフを容易にする新しいアクティブ・セットをＡＴに搬送する。システムは、ＢＳと通信し、コールをハンドオフする要求をＢＳから受信し、要求を受信したことに応答して、ハンドインをＶｏＩＰコールとして受け入れる確認を基地局に搬送し、ＡＴを獲得し、ＡＴにパケット・データ・サービスを提供するパケット・データ・ネットワークのパケット・データ・ノードをさらに含む。
【００１０】
本発明の他の実施形態は、回線交換音声コールを支援し、また、順方向リンクを介して順方向リンク音声トラフィックをＡＴに送信し、回線交換音声コールの一部として逆方向リンクを介して逆方向リンク音声トラフィックをＡＴから受信し、コールをパケット・データ・ネットワークにハンドオフすることを決定し、コールをハンドオフすることを決定したことに応答して、コールの支援を続けながら、コールをＶｏＩＰコールとしてパケット・データ・ネットワークにハンドオフする要求をパケット・データ・ネットワークの無線パケット・データ・ノードに搬送し、ハンドオフする要求を搬送したことに応答して、パケット・データ・ネットワークによってハンドインをＶｏＩＰコールとして受け入れる確認をパケット・データ・ノードから受信し、パケット・データ・ネットワークに関連付けられた情報およびＡＴをパケット・データ・ネットワークにハンドオフするのを容易にする新しいアクティブ・セットをＡＴに搬送するように構成されるＢＳを包含する。
【００１１】
本発明の他の実施形態は、パケット交換音声コールを利用可能とし、また、ＡＴに関連付けられた音声コールを、無線パケット・データ・ノードを備えるパケット・データ・ネットワークにＶｏＩＰコールとしてハンドオフする要求を回線サービス・ネットワークのＢＳから受信し、要求を受信したことに応答して、コールのハンドインをＶｏＩＰコールとして受け入れる確認を搬送し、ＡＴを獲得し、ＡＴにパケット・データ・サービスを提供するように構成されるパケット・データ・ノードを包含する。
【００１２】
ここで図面を参照すると、本発明は、図１から５Ｃを参照してより完全に説明される。図１は、本発明の様々な実施形態による無線通信システム１００のブロック図である。通信システム１００は、たとえば無線音声通信のために装備されたセルラ電話、無線電話、またはパーソナル・デジタル・アシスタント（ＰＤＡ）、パーソナル・コンピュータ（ＰＣ）、もしくはラップトップ・コンピュータである無線アクセス端末（ＡＴ）１０２を含むが、これらには限定されない。様々な通信システムでは、ＡＴ１０２は、加入者ユニット（ＳＵ）、モバイル局（ＭＳ）、ハイブリッド端末、またはユーザ機器（ＵＥ）と呼ばれることもある。ＡＴ１０２は、パケット・データ・ネットワーク１３０とのパケット・データ・コールに従事することができ、回線サービス・ネットワーク１１０との回線音声コールまたは回線データ・コールに従事することがさらにでき、より具体的には、３ＧＰＰ２  Ｃ．Ｓ００２４プロトコルを介してパケット・データ・ノード１３４と通信することができ、３ＧＰＰ２  Ｃ．Ｓ０００１−Ｃ．Ｓ０００５プロトコルを介してＢＳ１１２と通信することができる。
【００１３】
図１に示されたように、ＡＴ１０２は、第１のホーム・ネットワーク１５０に関連付けられているが、第２の訪問ネットワーク１４２にある。訪問ネットワーク１４２は、ｃｄｍａ２０００（無号分割多重アクセス２０００）１Ｘネットワークなどの無線回線サービス・セルラ通信ネットワーク１１０と、ｃｄｍａ２０００ＨＲＰＤ（高速パケット・データ）パケット・データ通信ネットワーク１３０など、ＶｏＩＰサービスを提供する無線パケット・データ通信ネットワーク１３０との両方を含む。回線サービス・ネットワーク１１０は、基地局コントローラ（ＢＳＣ）１１６に動作式に結合された基地トランシーバ局（ＢＴＳ）１１４を備える基地局（ＢＳ）１１２を含む。ＢＳ１１２は、シグナリング（Ａ１）インターフェースおよびベアラ（Ａ２）インターフェースの両方を介してモバイル切替えセンタ（ＭＳＣ）１２０に結合される。ＭＳＣ１２０は、訪問位置レジスタ（ＶＬＲ）などのコール制御および移動性管理機能（図示せず）ならびに切替え機能（図示せず）を含み、ベアラ・インターフェース、好ましくはパルス符号変調オーバ時間分割多重化（ＰＣＭオーバＴＤＭ）インターフェースを介して、メディア・ゲートウエイ（ＭＧＷ）１２２に結合される。回線サービス・ネットワーク１１０は、シグナリング・インターフェースを介してＭＧＷ１２２およびＭＳＣ１２０のそれぞれに結合され、好ましくはメディア・ゲートウエイ・コントロール・プロトコル（Ｍｅｇａｃｏ）インターフェースを介してＭＧＷ１２２に結合され、かつＩＳＤＮユーザ・パート（ＩＳＵＰ）インターフェースを介してＭＳＣ１２０に結合されるメディア・ゲートウエイ・コントロール機能（ＭＧＣＦ）１２４をさらに含む。
【００１４】
ＢＳＣ１１６は、ＢＳＣによってサービスされるアクセス端末（ＡＴ）から受信したメッセージに関して選択および分配ユニット機能１１８を提供し、ＡＴによって提供されるボコーダ・フォーマットと、６４ｋｂｐｓＰＣＭフォーマット（ＩＴＵＪ−Ｔ  Ｇ．７１１）など、ネットワーク１１０に結合されたネットワークによって提供されるボコーダ・フォーマットとの間のトランスコーディングに関してトランスコーディング機能１１８をさらに提供する。しかし、本発明の他の実施形態では、トランスコーディング機能は、ＢＳＣ１１６の代わりにＭＳＣ１２０にあることが可能である。ＭＧＷ１２２は、たとえばインターネットであるインターネット・プロトコル（ＩＰ）ネットワークなどの外部データ・ネットワークである遠端ネットワーク１７０への回線サービス・ネットワーク１１０のゲートウエイを提供する。ＡＴ１０２が回線サービス・ネットワーク１１０および遠端ネットワーク１７０を介して遠隔端点１７２との音声コールに従事しているとき、ＭＧＷ１２２は、外部データ・ネットワーク１７０に経路指定するために、たとえばＲｅａｌ  Ｔｉｍｅ  Ｐｒｏｔｏｃｏｌ／Ｕｓｅｒ  Ｄａｔａｇｒａｍ  Ｐｒｏｔｏｃｏｌ／Ｉｎｔｅｒｎｅｔ  Ｐｒｏｔｏｃｏｌ（ＲＴＰ／ＵＤＰ／ＩＰ）プロトコル・スートに基づいて、ＭＳＣ１２０から受信したパルス符号変調（ＰＣＭ）信号をデータ・パケットに変換し、ＭＳＣ１２０に経路指定するために、データ・ネットワーク１７０から受信した音声データをＰＣＭオーバＴＤＭ（時間分割多重）フォーマットに変換する。
【００１５】
パケット・データ・ネットワーク１３０は、ベアラ（Ａ１０）インターフェースおよびシグナリング（Ａ１１）インターフェースを介して、パケット・データ・サービング・ノード（ＰＤＳＮ）１３８に結合されるか、またはパケット・データ・ネットワーク１３０がＷＬＡＮネットワークであるときはパケット・データ・インターワーキング機能（ＰＤＩＦ）に結合されるパケット・データ・ノード１３４を備える。ＰＤＳＮ１３８は、プロキシ・コール・セッション・コントロール機能（Ｐ−ＣＳＣＦ）１４０とのシグナリング制御経路接続をさらに有し、遠隔端点とのパケット・データ・セッションに従事しているときにパケット・データを交換するためのＲＴＰ／ＵＤＰ／ＩＰプロトコル・スートを使用可能とするインターフェースを介して、遠端ネットワーク１７０に接続される。パケット・データ・ノード１３４は、パケット・データ・ノードのカバレージ・エリアに位置するＡＴに無線パケット・データ通信サービスを提供する。パケット・データ・ノード１３４は、ＢＳＣに結合されたＢＴＳ、アクセス点（ＡＰ）、または無線ネットワーク・コントローラ（ＲＮＣ）に結合されたノードＢなど、無線アクセス・ネットワーク（ＡＮ）（図示せず）を備える。パケット・データ・ノード１３４は、Ａ８インターフェースおよびＡ９インターフェースなど、ベアラ接続およびシグナリング接続の１つまたは複数を介してＡＮに結合されることが可能であるパケット・コントロール機能（ＰＣＦ）（図示せず）をさらに備えることが可能である。パケット・データ・ノード１３４がＡＮおよびＰＣＦを備えるとき、パケット・データ・ノード１３４によって実施されると本明細書において記載される機能は、ＡＮまたはＰＣＦによって実施されることが可能であり、あるいはＡＮとＰＣＦの間に分散されることが可能である。
【００１６】
ＢＳ１１２およびパケット・データ・ノード１３４のそれぞれは、それぞれの１Ｘエア・インターフェース１０４およびＨＲＰＤエア・インターフェース１３２を介して、ＢＳまたはパケット・データ・ノードのカバレージ・エリアに位置するアクセス端末（ＡＴ）に無線通信サービスを提供する。各エア・インターフェース１０４、１３２は、パイロット・チャネル、少なくとも１つの順方向リンク・トラフィック・チャネル、ならびに順方向リンクの共有シグナリング・チャネルおよび専用シグナリング・チャネルを含む順方向リンクを含む。各エア・インターフェース１０４、１３２は、少なくとも１つの逆方向リンク・トラフィック・チャネル、逆方向リンクの共通シグナリング・チャネルおよび専用シグナリング・チャネル、ならびにアクセス・チャネルを含む逆方向リンクをさらに含む。
【００１７】
回線サービス・ネットワーク１１０およびパケット・データ・ネットワーク１３０、より具体的にはＢＳ１１２およびパケット・データ・ノード１３４は、インターワーキング・ソリューション機能（ＩＷＳ）１２６を介して互いに通信する。ＩＷＳ１２６は、Ａ２１  ＲＡＮ間インターフェースを介してパケット・データ・ネットワーク１３０と回線サービス・ネットワーク１１０の間のインターワーキング機能を提供し、回線サービス・ネットワークとのＡ２１シグナリングを使用可能にする。ＲＡＮ間インターフェースは、所有者が共通であり、かつ本明細書に完全に組み込まれる米国特許出願第１１／１４１９２６号、弁理士整理番号ＣＥ１３２４７Ｒにおいて詳細に記載されている。さらに、Ａ２１  ＲＡＮ間インターフェースおよびＩＷＳは、３ＧＰＰ２  Ａ．Ｓ０００８−Ｂ  ｖ０．２規格およびＡ．Ｓ０００９−Ｂ  ｖ０．２規格に記載されている。ＩＷＳ１２６は、パケット・データ・ネットワーク１３０に接続し、パケット・データ・シグナリング、具体的にはＨＲＰＤシグナリングを使用可能にする。ＩＷＳ１２６は、パケット・データ・ネットワーク１３０が回線サービス・ネットワークにおいてＨＲＰＤ無線信号をＡＴに搬送することを可能にし、それにより、ＨＲＰＤメッセージが回線サービス・ネットワーク１１０上でＡＴに移送されることを可能にするインターワーキング機能を提供する。たとえば、回線サービス・ネットワークは、回線サービス・ネットワークのデータ・バースト・メッセージ（ＤＢＭ）上でＨＲＰＤデータ・オーバ・シグナリング（ＤＯＳ）メッセージにおいてＨＲＰＤエア・インターフェース・メッセージを移送することが可能である（ＤＯＳオーバＤＢＭ）。
【００１８】
本発明の１実施形態では、ＩＷＳ１２６は、ＢＳ１１２と共存可能であり、ＢＴＳ１１４またはＢＳＣ１１６に位置することがさらに可能であり、ＲＡＮ間インターフェース、すなわち回線サービス・ネットワーク１１０のＢＳ１１２およびパケット・データ・ネットワーク１３０のパケット・データ・ノード１３４において終端するインターフェース、好ましくはＡ２１インターフェースを介して、パケット・データ・ノード１３４に接続されることが可能である。本発明の他の実施形態では、ＩＷＳ１２６は、パケット・データ・ノード１３４と共存可能であり、パケット・データ・ノードがＡＮおよび／またはＰＣＦを備えるときはＡＮまたはＰＣＦに位置することがさらに可能であり、Ａ１／Ａ１ｐインターフェースを介してＭＳＣ１２０に接続され、かつＭＳＣを介してＢＳ１１２に接続されることが可能である。ＩＷＳ１２６がパケット・データ・ノード１３４と共存するとき、Ａ２１インターフェースは、パケット・データ・ノードの内部にある。本発明の他の実施形態では、ＩＷＳ１２６は、たとえばＡ２１インターフェースを介してパケット・データ・ノード１３４によってアクセスされ、かつたとえばＡ１／Ａ１ｐインターフェースを介してＭＳＣ１２０によってアクセスされることが可能である独立型ＩＷＳとすることが可能である。Ａ２１インターフェースを使用して、パケット・データ・ノード１３４、パケット・データ・ノードがＰＣＦおよび／またはＡＮを含むときはパケット・データ・ノードの具体的にはＰＣＦまたはＡＮと、ＩＷＳ１２６との間において、あるいはＩＷＳがＢＳ１１２においてコロケートされるときはパケット・データ・ノード１３４とＢＳ１１２の間において、１Ｘ無線信号・メッセージを透過的に渡す。通信システム１００では、従来の技術とは異なり、Ａ２１インターフェースをさらに使用して、パケット・データ・ノード１３４、パケット・データ・ノードがＰＣＦおよび／またはＡＮを含むときはパケット・データ・ノードの具体的にはＰＣＦまたはＡＮから回線サービス・ネットワーク１１０にＨＲＰＤ無線信号を渡す。
【００１９】
回線サービス・ネットワーク１１０がパケット・データ・サービスを使用可能であり、かつパケット・データ・セッションがＡＴ１０２などのＡＴについて確立されている場合、ネットワーク１１０のショート・データ・バースト（ＳＤＢ）の特徴により、ＡＴが回線音声コールまたは能動パケット・データ・コールに従事しているときはネットワーク１１０のトラフィック・チャネル上で、またＡＴのパケット・データ・セッションがドーマントであり、かつＡＴが回線音声コールに従事していない場合はネットワーク１１０の共通チャネル上で、ネットワークとＡＴ１０２の間でパケット・データ・フレームを転送することが可能になる。パケット・データ・ネットワーク１３０は、共通チャネル上で、またはパケット・データ・セッションが確立され、かつパケット・データ・ネットワークにおいてアンカリングされているときはパケット・データ・ネットワークのトラフィック・チャネル上で、パケット・データ・ネットワークとＡＴ１０２などのＡＴとの間で「上位レイヤ」データを転送するデータ・オーバ・シグナリング（ＤＯＳ）の特徴を提供する。たとえば、ＡＴのパケット・データ・セッションを再活動化することを必要とせずに、すなわち、ＡＴのパケット・データ・セッションがドーマントである間、ＳＤＢおよびＤＯＳの特徴を使用して、インスタント・メッセージング・テキスト、電子メール、またはウエブ・ページをＡＴに転送することが可能である
回線サービス・ネットワーク１１０およびパケット・データ・ネットワーク１３０のそれぞれは、ホーム・ネットワーク１５０のＩＰマルチメディア・コア・ネットワーク・サブシステム（ＩＭＳ）と通信する。ＩＭＳは、これ以後まとめてＩ／Ｓ−ＣＳＣＦ１５４と呼ばれる問合せコール・セッション・コントロール機能（Ｉ−ＣＳＣＦ）およびサービング・コール・セッション・コントロール機能（Ｃ−ＣＳＣＦ）を備え、シグナリング（Ｃｘ）インターフェースを介してホーム加入者サーバ（ＨＳＳ）１５２にそれぞれ結合される。ホーム・ネットワーク１５０のＩＭＳは、これ以後まとめてＣＣＣＦ／ＮｅＤＳ１５６と呼ばれるネットワーク・ドメイン選択（ＮｅＤＳ）１５８機能およびコール連続性コントロール機能（ＣＣＣＦ）１６０をさらに備え、シグナリング（Ｓｈ）インターフェースを介してＨＳＳ１５２に結合され、かつセッション開始プロトコル（ＳＩＰ）を支援することができるシグナリング・インターフェースを介してＩ／Ｓ−ＣＳＣＦ１５４に結合される。図１は、ＮｅＤＳ１５８およびＣＣＣＦ１６０は単一のサーバなどの単一のネットワーク要素において実施されると示されているが、当業者なら、ＮｅＤＳ１５８およびＣＣＣＦ１６０は、本発明の精神および範囲から逸脱せずに、別々のネットワーク要素において実施されることが可能であることを理解するであろう。同様に、図１は、Ｉ−ＣＳＣＦおよびＣ−ＣＳＣＦは単一のサーバなどの単一のネットワーク要素において実施されると示されているが、当業者なら、Ｉ−ＣＳＣＦおよびＣ−ＣＳＣＦは、本発明の精神および範囲から逸脱せずに、別々のネットワーク要素で実施されることが可能であることを理解するであろう。ＣＣＣＦ／ＮｅＤＳ１５６およびＭＳＣ１２０も同様に、モバイル・アプリケーション・パート（ＭＡＰ）など、システム間プロトコルを支援するシグナリング・インターフェースを介して、ホーム位置レジスタ（ＨＬＲ）１６２にそれぞれさらに結合される。本明細書では、単一のインターフェースが、通信システム１００のネットワークの要素の多くの間において記載されているが、要素間の各相互接続は、ＳＩＰ、ＩＳＵＰ、ＭＡＰ、もしくはＭｅｇａｃｏメッセージを交換するためのインターフェースなどのシグナリング・インターフェース、および音声情報を交換する経路などのベアラ・インターフェースもしくはベアラ経路の１つまたは複数など、複数の相互接続および／またはインターフェースを備えることが可能である。
【００２０】
ここで図２を参照すると、本発明の実施形態によるＡＴ１０２のアーキテクチャが提供される。ＡＴ１０２は、ＡＴが２つのネットワークのそれぞれにおいて送信または受信することを可能にする少なくとも１つのトランシーバ２０２を含むことが可能である。トランシーバ２０２は、ボコーダ２０６およびプロセッサ２０８に結合され、このプロセッサは、少なくとも１つのメモリ素子２１０にさらに結合される。ＡＴ１０２は、ネットワーク１１０と１３０の間の切替えを容易にするアプリオリ情報を少なくとも１つのメモリ素子２１０において維持することが可能である。プロセッサ２０８は、１つまたは複数のミクロプロセッサ、ミクロコントローラ、デジタル信号プロセッサ（ＤＳＰ）、その組合せ、または当業者に既知の他の同様のデバイスを備えることが可能であり、このプロセッサは、ＡＴ１０２によって実行されると本明細書において記載される機能を実行するように構成される。少なくとも１つのメモリ素子２１０は、ランダム・アクセス・メモリ（ＲＡＭ）、動的ランダム・アクセス・メモリ（ＤＲＡＭ）、および／または読取り専用メモリ（ＲＯＭ）、あるいは、関連プロセッサによって実行されることが可能であるデータおよびプログラムを記憶し、かつ通信システム１００において動作するのに必要なすべての機能をＡＴ１０２が実施することを可能にするその等価物を備えることが可能である。ＡＴ１０２が、パケット・データ・ネットワーク１３０によって維持されているドーマント・パケット・データ・セッションを有するとき、少なくとも１つのメモリ素子２１０は、たとえばパケット・データが送信される行先であるＨＲＰＤ  ＲＬＰフローの識別「ＨＲＰＤ  ＲＬＰＦｌｏｗＩＤ」など、パケット・データ・セッションに関連付けられた無線リンク・プロトコル（ＲＬＰ）情報をさらに維持することが可能である。
【００２１】
ここで図３および４を参照すると、本発明の実施形態によるＢＳ１１２およびパケット・データ・ノード１３４のそれぞれのアーキテクチャが提供される。ＢＳ１１２およびパケット・データ・ノード１３４のそれぞれは、１つまたは複数のミクロプロセッサ、ミクロコントローラ、デジタル信号プロセッサ（ＤＳＰ）、その組合せ、または当業者には既知の他のそのようなデバイスなど、それぞれのプロセッサ３０２、４０２を含み、このプロセッサは、ＢＳおよびパケット・データ・ノードによってそれぞれ実行されると本明細書において記載される機能を実行するように構成される。ＢＳ１１２およびパケット・データ・ノード１３４のそれぞれは、ランダム・アクセス・メモリ（ＲＡＭ）、動的ランダム・アクセス・メモリ（ＤＲＡＭ）、および／または読取り専用メモリ（ＲＯＭ）、あるいは、関連プロセッサによって実行されることが可能であるデータおよびプログラムを記憶し、かつ通信システム１００において動作するのに必要なすべての機能をＢＳおよびパケット・データ・ノードが実施することを可能にするその等価物を備えることが可能であるそれぞれの少なくとも１つのメモリ素子３０４、４０４をさらに含む。
【００２２】
ＡＴ１０２、ＢＳ１１２、およびパケット・データ・ノード１３４によって実施されると本明細書において記載される機能は、ＡＴ、ＢＳ、およびパケット・データ・ノードのそれぞれの少なくとも１つのメモリ素子２１０、３０４、および４０４に記憶されて、ＡＴ、ＢＳ、およびパケット・データ・ノードの関連プロセッサ２０８、３０２、および４０２によって実行されるソフトウェア・プログラムならびに命令で、またはそのソフトウェア・プログラムならびに命令において実施される。パケット・データ・ノード１３４がＡＮおよびＰＣＦを備えるとき、パケット・データ・ノードによって実施されると本明細書において記載される機能は、ＡＮに含まれるプロセッサまたはＰＣＦに含まれるプロセッサによって実施されることが可能であり、あるいは、ＡＮおよびＰＣＦの対応する少なくとも１つのメモリ素子にそれぞれ記憶されているデータおよびプログラムに基づいてＡＮおよびＰＣＦのプロセッサ間に分散されることが可能である。ＢＳ１１２がＢＴＳ１１４およびＢＳＣ１１６を備えるとき、ＢＳによって実施されると本明細書において記載される機能は、ＢＴＳ１１４に含まれるプロセッサまたはＢＳＣ１１６に含まれるプロセッサによって実施されることが可能であり、あるいは、ＢＴＳ１１４およびＢＳＣ１１６の対応する少なくとも１つのメモリ素子にそれぞれ記憶されているデータおよびプログラムに基づいてＢＴＳ１１４およびＢＳＣ１１６のプロセッサ間に分散されることが可能である。しかし、当業者なら、本発明の実施形態は、代替として、たとえば、ＡＴ１０４、ＢＳ１１２、およびパケット・データ・ノード１３４の１つまたは複数において実施されるＡＳＩＣなど、集積回路（ＩＣ）、特定用途向け集積回路（ＡＳＩＣ）などのハードウェアにおいて実施されることが可能であることを理解するであろう。本発明の開示に基づいて、当業者なら、繰り返し実験をせずに、そのようなソフトウェアおよび／またはハードウェアを容易に作成し、実施することができるであろう。
【００２３】
ＡＴ１０２が回線サービス・ネットワーク１１０またはパケット・データ・ネットワーク１３０を介して回線音声コールまたはパケット・データ・コールにそれぞれ従事するために、ＡＴ１０２、回線サービス・ネットワーク１１０、およびパケット・データ・ネットワーク１３０のそれぞれは、周知の無線電気通信プロトコルに従って動作する。好ましくは、回線サービス・ネットワーク１１０は、そのネットワークによってサービスされる加入者に回線交換通信サービスを提供し（パケット・データ・サービスを提供することも可能である）、かつＣＤＭＡ  １Ｘシステムについてエア・インターフェース互換性の規格を提供する３ＧＰＰ２  Ｃ．Ｓ０００１からＣ．Ｓ０００５の規格に従って動作するｃｄｍａ２０００通信システムである。好ましくは、パケット・データ・ネットワーク１３０は、そのネットワークによってサービスされる加入者にＨＲＰＤ通信サービスを提供し、かつｃｄｍａ２０００ＨＲＰＤ（高速パケット・データ）システムについてエア・インターフェース互換性の規格を提供する３ＧＰＰ２（第３世代パートナーシップ・プロジェクト２）Ｃ．Ｓ００２４−Ａ規格およびＨＲＰＤ−１ｘ技術間エア・インターフェース支援を提供する３ＧＰＰ２  Ｃ．Ｓ００７５規格に従って動作するｃｄｍａ２０００（符号分割多重アクセス）通信システムである。また好ましくは、ホーム・ネットワーク１５０のＩＰマルチメディア・コア・ネットワーク・サブシステム（ＩＭＳ）は、ＩＭＳの動作、要素、およびインターフェースを記述する３ＧＰＰ２  Ｘ．Ｓ００１３規格に従って動作する。
【００２４】
さらに、回線サービス・ネットワーク１１０およびＡＴ１０２は、ｃｄｍａ２０００  １Ｘシステムとして動作するセルラ・モバイル電気通信システムと互換性のある規格を提供する３ＧＰＰ２  Ａ．Ｓ００１１−Ａ．Ｓ００１７Ｉｎｔｅｒ  Ｏｐｅｒａｂｉｌｉｔｙ  Ｓｐｅｃｉｆｉｃａｔｉｏｎｓ（ＩＯＳ）規格に従って動作することが好ましい。さらに、パケット・データ・ネットワーク１３０および再びＡＴ１０２は、ｃｄｍａ２０００  ＨＲＰＤシステムとして動作するセルラ・モバイル電気通信システムと互換性のある規格を提供する３ＧＰＰ２Ａ．Ｓ０００８−Ｂ  ｖ０．２またはＡ．Ｓ０００９−Ｂ  ｖ０．２（ｖ＆ｖバージョン）ＨＲＰＤ  ＩＯＳ規格の１つまたは複数に従って動作することが好ましい。互換性を保証するために、ＡＴおよび基地局またはＡＴにサービスする他のアクセス・ネットワークによって基地局または他のアクセス・ネットワークと関連インフラストラクチャとの間において実行されるコール処理ステップを含めて、無線システム・パラメータおよびコール処理手続きが、その規格によって規定される。しかし、当業者なら、パケット・データ・ネットワーク１３０は、たとえば８０２．１１、８０２．１５、もしくは８０２．１６、または８０２．２０規格であるＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．ｘｘ規格など、高速パケット・データ通信サービスを提供するさまざまな無線パケット・データ通信システムのいずれか１つに従って動作することが可能であり、また、回線サービス・ネットワーク１１０は、回線交換通信サービスを提供する様々な周知の従来の無線電気通信システムのいずれか１つに従って動作することが可能であることを理解するであろう。
【００２５】
本発明の目的では、ＡＴ１０２は、回線サービス・ネットワーク１１０との回線音声コールに従事していると想定してよい。回線サービス・ネットワーク１１０にアクセスするために、ＡＴ１０２は、回線サービス・ネットワークに割り当てられた動作周波数に同調し、ＢＳ１１２などのサービスしているＢＳに関連付けられたパイロット・チャネルを獲得し、次いでＢＳ１１２およびエア・インターフェース１０４の逆方向リンク・アクセス・チャネルを介してＭＳＣ１２０に登録する。ＡＴ１０２が登録された後、ＡＴは、エア・インターフェース１０４の順方向リンク・ページング・チャネルを監視することが可能である。次いで、ページング・チャネルを使用して、音声コールが回線サービス・ネットワーク１１０を介して到着するときをＡＴ１０２に通知することが可能である。代替例では、ＡＴ１０２は、３Ｇ１Ｘ逆方向リンク・アクセス・チャネル上で回線音声サービスを要求することによってＢＳ１１２に関連付けられたパイロット・チャネルを獲得した後、回線音声コールを開始することが可能である。ページング・チャネルは、パケット・データ・ネットワーク１３０がパケット・データをパケット・データ・ネットワーク１５２から受信しており、パケット・データをＡＴに送達することができるようにＡＴをパケット・データ・ネットワークに移動させることを要求するためにＡＴ１０２をページングすることを回線サービス・ネットワーク１１０に要求するときにさらに使用される。
【００２６】
ＡＴ１０２が回線サービス・ネットワーク１１０との音声コールに従事していないとき、または回線サービス・ネットワーク１１０においてページング・チャネルを監視していないとき、ＡＴは、パケット・データ・コールを開始し、パケット・データ・ネットワーク１３０、より具体的にはＰＤＳＮ１５０に登録することが可能である。次いで、ＡＴ１０２は、ポイント・ツー・ポイント・プロトコル（ＰＰＰ）などのレイヤ２プロトコルに従ってＰＤＳＮ１３８とデータ・リンクを確立することが可能である。次いで、ポイント・ツー・ポイント・プロトコルを使用して、ＩＰアドレスをＡＴ１０２に割り当てることが可能である。ＩＰアドレスが割り当てられて、パケット・データ・セッションが確立された後、ＡＴ１０２は、パケット・データ・ネットワーク接続上でパケット・データ・ネットワーク１３０と通信することが可能である。パケット・データ・ノード１３４を備え、かつ好ましくはネットワーク１３０においてＡＴ１０２にサービスするＡＮおよびＰＣＦを備えるパケット・データ・ネットワーク接続は、パケット・データ・ネットワーク１３０によってＭＳＣ１２０に通信され、ＭＳＣによって記憶される。
【００２７】
Ｃ．Ｓ００２４規格は、接続が通信に利用可能な状態で使用されているか否かに関わらず、パケット・データ・ネットワークのパケット・データ・セッションがそのままであることを提供する。すなわち、ＡＴ１０２が、パケット・データ・セッションを確立するためにパケット・データ・ネットワーク１３０にアクセスするとき、ＡＴは、エア・インターフェース１３２においてトラフィック・チャネルを割り当てられ、パケット・データは、トラフィック・チャネルおよびパケット・データ・ネットワーク接続を介してＡＴに転送される。たとえば、パケット・データ・ネットワーク１３０においてその後非活動的である期間、ＡＴ１０２が回線サービス・ネットワーク１１０において音声コールについて活動しているとき、トラフィック・チャネルは断絶されることがあるが、パケット・データ・セッションはそのままである。パケット・データ・セッションを維持することによって、ＡＴ１０２は、その後のデータ交換のために新しいＩＰアドレスを獲得する、または新しいＰＰＰ接続を確立することは必要ない。トラフィック・チャネルがない状態で存在するパケット・データ・セッションは、「ドーマント」セッションと呼ばれる。
【００２８】
通信システム１００では、ＡＴ１０２が回線サービス・ネットワーク１１０において回線音声コールに従事しているとき、ＡＴは、システムを経てローミングすることがあり得る。ローミングの結果として、ＡＴ１０２を回線サービス・ネットワーク１１０からパケット・データ・ネットワーク１３０にハンドオフすることが望ましい状況が出現することがある。たとえば、当技術分野では既知であるように、通信システム１００においてローミングし、かつＢＳ１１２によってサービスされている間、ＡＴ１０２は、パケット・データ・ノード１３４からより強い信号を受信することが可能である。通常、信号の強度は、パケット・データ・ノードまたはＢＳに関連付けられたパイロット・チャネルを測定するＡＴ１０２などのＡＴによって決定される。サービスしているパケット・データ・ノードまたはＢＳのパイロット・チャネルが、閾値および他のパケット・データ・ノードまたはＢＳのパイロット・チャネルより弱いとき、それは、通常、ハンドオフが望ましいことを表す。
【００２９】
他の例として、回線サービス・ネットワーク１１０上でＡＴ１０２を動作することに関連するコストは、パケット・データ・ネットワーク１３０上でＡＴ１０２を動作することに関連するコストとは異なることがある。さらには、ネットワーク１１０および１３０のオペレータ（または複数のオペレータ）が、各ネットワークの使用について異なる料金を課すことがある。その結果、ＡＴがより低コストのネットワークにおいてトラフィック・チャネルを得ることができるときはいつでも、ＡＴ１０２のユーザが、より低コストのネットワーク上で動作するように指示を加入者に対してプログラムすることが可能である。ＡＴ１０２が、より高コストのネットワークにおいて音声コールに従事し、かつより低コストのネットワークにおいてトラフィック・チャネルを得ることができるとき、加入者ユニット、または加入者ユニットのユーザがより低コストのネットワークにおいてトラフィック・チャネルが利用可能であることを通知されている場合はそのユーザが、より低コストのネットワークへのハンドオフを開始することが可能である。他の例として、ＡＴ１０２のユーザが音声コールではなくビデオ・テレフォニ・サービスを使用することを望み、パケット・データ・ネットワーク１３０がビデオ・テレフォニを利用可能にするが、回線サービス・ネットワーク１１０は利用可能としないとき、回線サービス・ネットワーク１１０において音声コールに能動的に従事しているＡＴ１０２などのＡＴをパケット・データ・ネットワーク１３０に移動させることが望ましいことがある。他の例として、負荷を同一水準にするためや、ネットワークのコストを考慮するため、または緊急通信を容易にするようにカバレージ・エリアにおいてトラフィック・チャネルをクリアすることが必要であるために、通信システム１００などの通信システムのオペレータが、回線サービス・ネットワーク１１０において音声コールに能動的に従事しているＡＴ１０２などのＡＴを他のネットワークに移動させることが望ましいとすることがある。
【００３０】
ＡＴ１０２などのＡＴのハンドオフを容易にするために、通信システム１００は、ＡＴが回線サービス・ネットワークにおいて音声コールに能動的に従事しているとき、ＡＴを回線サービス・ネットワーク１１０からパケット・データ・ネットワーク１３０に能動的にハンドオフする方法および装置を提供する。音声コールを回線サービス・ネットワーク１１０からパケット・データ・ネットワーク１３０に能動的にハンドオフすることを提供することにより、通信システム１００は、ＡＴが、ほぼ常時ネットワーク１１０および１３０の少なくとも一方との通信セッションに能動的に従事し、それにより、音声またはデータ・トラフィックがハンドオフ中に失われることがある可能性を最小限に抑えることを保証する。
【００３１】
ここで図５Ａ、５Ｂ、および５Ｃを参照すると、本発明の様々な実施形態による回線サービス・ネットワーク１１０からパケット・データ・ネットワーク１３０へのＡＴ１０２のハンドオフについて通信システム１００によって実行される方法を示す信号流れ図５００が提供される。信号流れ図５００は、ＡＴ１０２が回線サービス・ネットワーク１１０を介して遠隔端点１７２との音声コールに従事するときに開始される。コールに参加するために、ＡＴ１０２は、回線サービス・ネットワーク１１０にすでに登録されていなければならない。当技術分野において公知であるように、ＡＴ１０２がＩＭＳに事前に登録されているとき、コールをセットアップするために、ＭＧＣＦ１２４は、Ｉ／Ｓ−ＣＳＣＦ１５４を介してＣＣＣＦ／ＮｅＤＳ１５６とセッション開始プロトコル（ＳＩＰ）ダイアログをセットアップし（５０２）、次いで、ＣＣＣＦ／ＮｅＤＳ１５６は、Ｉ／Ｓ−ＣＳＣＦ１５４および遠端ネットワーク１７０を介して遠隔端点１７２とＳＩＰダイアログをセットアップする（５０４）。次いで、ＡＴ１０２と遠隔端点１７２の間で音声情報を転送する経路が確立される。
【００３２】
音声情報の交換において、ＡＴ１０２は、エア・インターフェース１０４を介してＢＳ１１２とボコード・スピーチを交換する（５０６）。ＢＳ１１２は、エア・インターフェース１０４の逆方向リンク・トラフィック・チャネルを介してＡＴ１０２からボコード・スピーチを受信し（５０６）、ボコード・スピーチを６４ｋｂｐｓのパルス符号変調（ＰＣＭ）（Ｇ．７１１）にトランスコードし、トランスコードしたスピーチをＭＳＣ１２０に搬送する（５０８）。同様に、ＢＳ１１２は、ＭＳＣ１２０から受信した通信を、ＡＴ１０２と互換性のあるボコーダ・フォーマットにトランスコードし、トランスコードした情報をエア・インターフェース１０４の順方向リンク・トラフィック・チャネルを介してＡＴ１０２に送信する（５０６）。ＭＳＣ１２０は、ＢＳ１１２から受信したＰＣＭ信号をＭＧＷ１２２に転送し（５１０）、ＭＧＷから受信したＰＣＭ信号をＢＳに転送する（５１０）。ＭＧＷ１２２は、ＭＳＣ１０２から受信したＰＣＭ信号をボコード・スピーチにトランスコードし、好ましくはＲＴＰ／ＵＤＰ／ＩＰフォーマットでフォーマットされたボコード・スピーチをデータ・パケットに含み、遠端ネットワーク１７０を介してデータ・パケットを遠隔端点１７２に経路指定する（５１２）。ＭＧＷ１２２は、遠端ネットワーク１７０を介して遠隔端点１７２から受信したデータ・パケットに含まれるボコード・スピーチを６４ｋｂｐｓのＰＣＭ（Ｇ．７１１）にさらに変換し、ＰＣＭ信号をＭＳＣ１２０に経路指定する（５１２）。
【００３３】
ＡＴ１０２が回線サービス・ネットワーク１１０において能動的音声コールに従事している間、ＡＴは、回線サービス・ネットワーク１１０のＢＳ１１２およびパケット・データ・ネットワーク１３０のパケット・データ・ノード１３４のそれぞれに関連付けられたパイロットの品質、特に信号強度、あるいは代替として信号対雑音比（ＳＮＲ）、搬送波対干渉比（Ｃ／Ｉ）、パイロット電力対全電力（Ｅｃ／Ｉｏ）比、ビット誤り率（ＢＥＲ）、またはフレーム誤り率（ＦＥＲ）などの様々な他の信号品質のいずれかを監視する。ＡＴ１０２は、各ネットワーク１１０、１３０のパイロットを同時に監視することが可能であり、または、パイロットの監視についてネットワーク間で切り替えることが可能である。ＡＴ１０２は、パケット・データ・ネットワーク１３０のパケット・データ・ノード１３４に関連付けられたパイロットをいつ監視するか、または監視するべきかを自主的に判断することが可能であり、あるいは、回線サービス・ネットワーク１１０、具体的にはＢＳ１１２およびＭＳＣ１２０の一方から監視するようにという命令を受信したことに応答して、パイロットを監視することが可能である。
【００３４】
ＡＴ１０２は、周知の報告手続きに従って、監視したパイロットを報告する５１４。たとえば、監視したパイロットが１Ｘシステム内ソフト・ハンドオフの追加閾値を超えるとき、ＭＳは、エア・インターフェース１０４の逆方向リンクを介してＢＳに搬送されるパイロット強度測定メッセージ（ＰＳＭＭ）において、このパイロットおよび測定されたパイロット・チャネルの強度をＢＳ１１２、具体的にはＢＳＣ１１６に報告する。同様に、監視したパイロットが１Ｘシステム内ソフト・ハンドオフ・ドロップ閾値より降下するとき、ＭＳは、エア・インターフェース１０４の逆方向リンクを介してＢＳに搬送されるＰＳＭＭにおいて、このパイロットおよび測定されたパイロット・チャネルの強度をＢＳ１１２、具体的にはＢＳＣ１１６に報告する。次いで、ＢＳＣ１１６は、報告されたネットワーク・パイロット測定を記憶する。１Ｘシステム内ソフト・ハンドオフの追加閾値を超えるパイロットの報告は、そのパイロットに関連付けられたＢＳをＭＳでソフト・ハンドオフに追加する指標であり、１Ｘシステム内ソフト・ハンドオフ・ドロップ閾値より降下するパイロットの報告は、そのパイロットに関連付けられたＢＳをＭＳでソフト・ハンドオフから削除する指標である。
【００３５】
パケット・データ・ネットワーク１３０、より具体的にはエア・インターフェース１３２のパイロットの品質が、回線サービス・ネットワーク１１０において動作しているときのＡＴ１０２によって測定され、かつシステム間ハード・ハンドオフの追加閾値を超えるとき、または、パケット・データ・ネットワーク１３０、より具体的にはエア・インターフェース１３２の以前に報告されたパイロットの品質が、回線サービス・ネットワーク１１０において動作しているときのＡＴ１０２によって測定され、かつシステム間ハード・ハンドオフ・ドロップ閾値より降下するとき、ＡＴは、監視したＨＲＰＤパイロットをＢＳ１１２、より具体的にはＢＳＣ１１６に再び報告する５１４。次いで、ＢＳＣ１１６は、報告されたＨＲＰＤパイロット測定を記憶する。
【００３６】
ＡＴ１０２は、エア・インターフェース１０４の逆方向リンク専用シグナリング・チャネル（ｒ−ｄｓｃｈ）上、またはコールに割り当てられたエア・インターフェース１０４の逆方向リンク・トラフィック・チャネル上で、１Ｘデータ・バースト・メッセージ（ＤＢＭ）などの回線サービス・ネットワーク１１０メッセージ送達機構をＢＳ１１２に送信することによって、ＨＲＰＤパイロットの強度を報告することが可能である。ＤＢＭを備える逆方向リンク・シグナリング・メッセージは、シグナリング・メッセージの送達を確認する要求を含むことが可能である。好ましくは、ＤＢＭは、ＨＲＰＤパイロット信号の強度を報告するとしてメッセージを識別するＢＵＲＳＴ＿ＴＹＰＥフィールド、または他の識別子を含む。ＤＢＭを受信したことに応答して、ＢＳ１１２は、メッセージをパースし、ＨＲＰＤパイロット信号強度測定を備えるとしてメッセージを認識する。
【００３７】
ＢＳ１１２に関連付けられたパイロット測定およびパケット・データ・ノード１３４に関連付けられ、かつＡＴ１０２によって報告されたＨＲＰＤパイロット測定に基づいて、回線サービス・ネットワーク１１０、具体的にはＢＳ１１２またはＭＳＣ１２０は、次いで、ＡＴ１０２をパケット・データ・ネットワーク１３０およびパケット・データ・ノード１３４にハンドオフすることを決定することが可能である。たとえば、ＢＳ１１２のパイロットが１Ｘシステム内ソフト・ハンドオフ・ドロップ閾値と比較して不利であるとき（信号強度閾値の場合、閾値より低い）、および／またはパケット・データ・ノード１３４のパイロットが、ＨＲＰＤシステム内ハード・ハンドオフの追加閾値と比較して有利であるとき（信号強度閾値の場合、閾値を超える）、これは、ハンドオフが望ましいことを表す。他の例として、ネットワーク１１０上においてＡＴ１０２を動作することに関連するコストは、ネットワーク１３０上においてＡＴ１０２を動作することに関連するコストとは異なることがある。さらには、ネットワーク１１０および１３０のオペレータ（または複数のオペレータ）が、各ネットワークの使用について異なる料金を課すことがある。パケット・データ・ネットワーク１３０がより低コストのネットワークである場合、ＡＴ１０２のユーザは、第２のネットワーク１３０に関連付けられたパイロットの測定がＨＲＰＤシステム間ハード・ハンドオフの追加閾値と比較して有利であるときはいつでも、第２のネットワークにおいて動作するように指示をＭＳにプログラムすることが可能である。他の例として、負荷を同一水準にするため、ネットワークのコストを考慮するため、または緊急通信を容易にするようにカバレージ・エリアにおいてトラフィック・チャネルをクリアすることが必要であるために、第２のネットワークに関連付けられたパイロットの測定がＨＲＰＤシステム間ハード・ハンドオフの追加閾値と比較して有利であるときはいつでも、通信システム１００のオペレータが、回線サービス・ネットワーク１１０において音声コールに能動的に従事しているＡＴ１０２などのＡＴをパケット・データ・ネットワーク１３０に移動させることが望ましい。
【００３８】
ＡＴ１０２を回線ネットワーク１１０およびＢＳ１１２からパケット・データ・ネットワーク１３０およびパケット・データ・ノード１３４にハンドオフすることを決定したことに応答して、ＢＳ１Ｉ２は、パケット・データ・ネットワーク上において音声コールをボイス・オーバＩＰ（ＶｏＩＰ）コールとしてハンドオフする要求をアセンブルする。好ましくは、要求は、コールを支援するためにリソースを要求し、パケット・データ・ネットワークがＡＴ１０２についてリソースを割り付ける要求を含むＡ２１−リソース割付け要求メッセージを備える。次いで、ＢＳ１１２は、好ましくはＡ２１インターフェースなどのＲＡＮ間インターフェースを介して、要求をパケット・データ・ノード１３４に搬送する（５１６）。リソース割付け要求を受信したことに応答して、パケット・データ・ノード１３４は、ＡＴ１０２がパケット・データ・ネットワーク１３０においてアンカリングされたＨＲＰＤパケット・データ・セッションを有するか、ならびに、関連付けられたＨＲＰＤ無線リンク・プロトコル（ＲＬＰ）フローおよびＡＴに割り付けられたユニキャスト・アクセス端末識別子（ＵＡＴＩ）などのアクセス端末識別子を備えるＳＳＩＲ（セッション状態情報記録）を有するかを判断する。たとえば、ＡＴに関連付けられたドーマント・パケット・データ・セッションが、パケット・データ・ネットワーク１３０によって維持される。上記で留意したように、ＡＴのパケット・データ・セッションは、ＰＰＰ／レイヤ接続がＡＴとＰＤＳＮの間において確立されており、Ａ１０ベアラ・リソースがＡＴに割り付けられているが、トラフィック・チャネルおよびＡ８ベアラ・リソース（パケット・データ・ノードのＡＮとＰＣＦの間）がＡＴに割り付けられていないとき、ドーマント状態にあると見なされる。
【００３９】
ＡＴ１０２が、パケット・データ・ネットワーク１３０においてアンカリングされたＨＲＰＤパケット・データ・セッションを有していない場合、事前に構成されたセッション状態情報記録（ＶｏＩＰサービスを支援するのに適切なＱｏＳを有するＳＳＩＲおよび少なくとも１つのＨＲＰＤ  ＩＰフローを含む）ならびにポイント・ツー・ポイント・プロトコル（ＰＰＰ）接続（レイヤ２プロトコル）を有するリソースの予約プール（割り当てられたセッションを有していない入りＡＴについて）から事前に交渉されかつ事前に確立された「ダミー」のセッションが、セッションについてＡＴに一意に関連付けられるＵＡＴＩなどのアクセス端末識別子と共に、パケット・データ・ネットワーク１３０、好ましくはパケット・データ・ノード１３４によってＡＴに割り当てられることが可能である。事前に構成されたセッションは、ＶｏＩＰコールを支援するために、事前セットアップＡ１０接続およびＩＰフローを含むことが可能である。ＡＴ１０２は、パケット・データ・ネットワーク１３０へのハンドインが必要であるとき、パケット・データ・セッション構成（ＳＳＩＲ）およびＰＰＰセッションをＡＴのオペレータ構成によって、またはハンドオフのときにこの情報を提供することによって、すなわちパケット・データ・ノード１３４によってＢＳ１１２を介してこの情報をＡＴ１０２に提供することによって認識する。次いで、情報は、ＡＴの少なくとも１つのメモリ素子２１０において維持され、またパケット・データ・ノードの少なくとも１つのメモリ素子４０４においても維持され、そうでない場合はパケット・データ・ノードによってアクセス可能なパケット・データ・ネットワーク１３０の位置において維持される。どちらの場合でも、ＳＳＩＲおよびＰＰＰセッションの情報は、ＰＰＰまたはＨＲＰＤセッションの交渉がハンドオフのときに必要とされないようにデフォルト値で事前に構成されることが可能であり、それにより、新しいパケット・データ・セッションがハンドオフのときにＡＴについてセットアップされることを必要とせずに、かつエア上でＳＳＩＲをＡＴに搬送することをまず必要とせずに、またはＡＴとＳＳＩＲを交渉せずに、ＡＴ１０２がパケット・データ・ネットワーク１３０にハンドオフされることが可能であり、それによって、ハンドオフの待ち時間遅延が低減される。リソースを割り付ける要求を受信したことに応答して、パケット・データ・ノード１３４は、リソースが、既存（たとえばドーマント）のＨＲＰＤパケット・データ・セッションから、またはＡＴに割り付けられる事前構成／予約ＨＲＰＤパケット・データ・セッションから利用可能である場合、リソースをＡＴ１０２に割り付け、コールのハンドインをＶｏＩＰコールとして受け入れるパケット・データ・ネットワーク１３０による確認を備えるパケット・データ・ネットワーク・無線信号応答、より具体的にはＨＲＰＤ  ＤＯＳメッセージをアセンブルして、好ましくはＲＡＮ間インターフェースを介して、ＢＳ１１２に搬送する（５１８）。
【００４０】
リソースがＡＴ１０２に割り当てるためにパケット・データ・ノード１３４において利用可能ではないとき、パケット交換ノード１３４は、ＢＳ１１２に搬送された応答、好ましくはＡ２１−リソース予約応答において「原因」フィールドを「リソースなし」に設定することが可能である。次いで、ハンドオフを終端することができる。
【００４１】
既存のパケット・データ・セッションから、またはＡＴに割り当てられるように事前に構成された／予約されたＨＲＰＤセッションから、リソースがＡＴ１０２に割り当てるためにパケット・データ・ノード１３４において利用可能であるとき、パケット・データ・ノード１３４によってＢＳ１１２に搬送された応答は、Ａ２１−リソース割付け予約メッセージを備えることが可能である。メッセージは、エア・インターフェース１３２においてトラフィック・チャネルに関連付けられたＡＴ１０２についてのトラフィック・チャネル割当て情報、事前に構成されたセッション状態情報、およびそのセッションについてＡＴに割り当てられたＵＡＴＩの１つまたは複数を含むことが可能である。ＡＴが回線交換音声コール中にＨＲＰＤサブネットを変更した場合、パケット・データ・ノード１３４は、パケット・データ・ノード１３４がリソースをＡＴに割り付ける前に、Ａ１３手続きを使用して、ソース・パケット・データ・ノードからＡＴの情報を取り出すことが可能である。応答をパケット・データ・ノード１３４から取り出したことに応答して、ＢＳ１１２は、エア・インターフェース１３２において割り当てられたトラフィック・チャネルに関連付けられたトラフィック・チャネル情報、事前に構成されたセッション状態情報、セッションについてＡＴに割り当てられたＵＡＴＩ、および新しいアクティブ・セットの１つまたは複数を含めて、パケット・データ・ネットワーク１３０、好ましくはパケット・データ・ノード１３４へのハンドオフを容易にする情報を備えるメッセージをＡＴ１０２に搬送する５０２。
【００４２】
本発明の１実施形態では、ＢＳ１１２は、好ましくはＡＴがベアラ経路修正手続きを開始することをＡＴ１０２に示すためにＤＢＭの「理由」フィールドを「リソース予約」に設定することによって、リソースがＡＴについて予約されていることを示すＤＢＭをアセンブルすることが可能である。ＤＢＭはさらに、データをパケット・データとして識別する「データ・バースト・タイプ」フィールドを含むことが可能であり、パケット・データ・ノード１３４から受信した応答、すなわちＡ２１−リソース割付け応答の少なくとも一部をＤＢＭのペイロード部分に含む、もしくは含まないことが可能である。次いで、ＢＳ１１２は、エア・インターフェース１０４の順方向リンク共通シグナリング・チャネル、エア・インターフェースの専用シグナリング・チャネル、またはＡＴ１０２に割り付けられたエア・インターフェースのトラフィック・チャネルを介して、ＤＢＭをＡＴ１０２に搬送する。
【００４３】
パケット・データ・ノード１３４のリソースをＡＴ１０２に割り付けるとき、ドーマント・パケット・データ・セッションが存在せず、かつパケット・データ・ノードがリソースの予約プールからリソースをＡＴに割り当てる場合、パケット・データ・ノードからトラフィック・チャネル割当て情報を受信したことに応答して、ＡＴ１０２は、Ｐ−ＣＳＣＦの発見において使用されるメッセージが、Ａ２１インターフェースを介してＢＳ１１２とパケット・データ・ノード１３４の間をトンネリングし、ＤＯＳオーバＤＢＭを使用してＢＳとＡＴ１０２の間をトンネリングすることを除いて、周知の技法に従ってＰ−ＣＳＣＦ１４０の発見を実施する（５２２）。さらに、パケット・データ・ノード１３４がリソースの予約プールからリソースをＡＴ１０２に割り当てる場合、ＡＴは、ホーム・ネットワーク１５０のＩＰコア・ネットワーク・マルチメディア・サブシステム（ＩＭＳ）、より具体的にはＣＣＣＦ／ＮｅＤＳ１５６への登録も開始する（５２４）。
【００４４】
ＢＳ１１２とパケット・データ・ノード１３４の間で送信および受信されたメッセージは、ＩＷＳ１２６が、ＢＳ１１２内など、回線サービス・ネットワーク１１０においてコロケートされるとき、Ａ２１インターフェース上で直接渡されることが可能である。回線サービス・ネットワーク１１０とパケット・データ・ネットワーク１３０の間において直接Ａ２１インターフェースが利用可能ではないとき、メッセージは、たとえば、Ａ１インターフェースを介してパケット・データ・ノード１３４に接続されるＭＳＣ、またはＡ２１インターフェースを介してパケット・データ・ノードに接続されるＩＷＳにＡ１インターフェースを介して接続されるＭＳＣに間接的に渡されることが可能である。好ましくは、ＡＴは、ＤＯＳオーバＤＢＭシグナリングを好ましくは使用して、ＳＩＰレジスタ・メッセージをＢＳ１１２に搬送することによってＩＭＳ登録を開始する。たとえば、ＡＴ１０２は、パケット・データ・ネットワーク１３０を行先とするとしてデータ・バーストを識別するＳＯ５９などのＨＲＰＤサービス選択肢（ＳＯ）と、パケット・データに関連付けられたＲＬＰ情報、すなわち、パケット・データが送信されるＨＲＰＤ  ＲＬＰフローの識別（ＨＲＰＤ  ＲＬＰＦＩｏｗＩＤ）とを備えるデータ・フィールドをさらに含むことが可能であるＤＢＭにおいて、ＳＩＰレジスタ・メッセージを含むことが可能である。次いで、ＢＳ１１２は、パケット・データ・ノードのＡＮ（Ａ．Ｓ０００８−Ｂ  ｖ０．２アーキテクチャ）またはＰＣＦ（Ａ．Ｓ０００９−Ｂ  ｖ０．２アーキテクチャ）など、パケット・データ・ノード１３４にＳＩＰレジスタ・メッセージを送信する。ＢＳ１１２は、アプリケーション・データ・デリバリ・サービス（ＡＤＤＳ）メッセージのＡＤＤＳユーザ・パート要素のアプリケーション・データ・メッセージ・フィールドにおいてメッセージを含むＡＤＤＳメッセージ、またはＤＯＳデリバリ・メッセージにＳＩＰレジスタ・メッセージを含むことが可能であり、Ａ２１インターフェースを介して、またはＢＳがパケット・データ・ノードに対して有することが可能であるあらゆる他のシグナリング接続を介して、メッセージをパケット・データ・ノードに送信することが可能である。次いで、パケット・データ・ノード１３４は、ＢＳ１１２から受信したメッセージをパースしてＳＩＰレジスタ・メッセージを抽出し、パケット・データ・ネットワークにおいてＡＴ１０２のパケット・データ・セッションを支援するＰＤＳＮ、すなわちＰＤＳＮ１３８にＳＩＰレジスタ・メッセージを正規のパケット・データとしてＡ１０インターフェースを介して送信し、データ・フローをＡＴ１０２によって指定されたＲＬＰフローにマッピングする。このようにして、ＡＴ１０２は、回線サービス・ネットワーク１１０を出ることを必要とせずに、ＳＩＰメッセージをパケット・データ・ノード１３４に搬送し、さらにパケット・データ・ネットワーク１３０に搬送することが可能である。次いで、ＰＤＳＮ１３８は、受信したパケット・データをＩ／Ｓ−ＣＳＣＦ１５４に転送し、Ｉ／Ｓ−ＣＳＣＦは、パケット・データをＣＣＣＦ／ＮｅＤＳ１５６に転送する。
【００４５】
信号フロー５２０において、ＡＴ１０２が、リソースがＡＴについて予約されていることを示すＤＢＭをＢＳ１１２から受信するとき、ＡＴは、ＣＣＣＦ／ＮｅＤＳ１５６に対してＩＭＳコールを開始することによってベアラ経路の修正を開始する。より具体的には、ＡＴ１０２は、セッション招待の受信者、すなわちＣＣＣＦ／ＮｅＤＳ１５６に関連付けられたＥ．１６４番号またはＳＩＰ  ＵＲＩなどの経路指定識別子と、ベアラ経路の確立に関連付けられたセッション記述プロトコル（ＳＤＰ）提案とを含むセッション招待、より具体的にはＳＩＰ招待をエア・インターフェース１３２およびパケット・データ・ネットワーク１３０を介してＢＳ１１２に搬送する（５２６）。再び、ＡＴ１０２は、ＤＯＳオーバＤＢＭシグナリングを使用してＳＩＰ招待をＢＳ１１２に送信することが可能であり、ＤＢＭは、パケット・データ・ネットワーク１３０を行先とするとしてデータ・バーストを識別するＳＯ５９などのＨＲＰＤサービス選択肢（ＳＯ）と、パケット・データが送信されるＨＲＰＤ  ＲＬＰフローの識別とを備えるデータ・フィールドをさらに含むことが可能である。当技術分野において既知であるように、ＳＤＰ提案は、ビデオ、音声などの媒体のタイプ、ＲＴＰ／ＵＤＰ／ＩＰ、Ｈ．３２０などの移送プロトコル、Ｈ．２６１ビデオ、ＭＰＥＧビデオなどの媒体のフォーマット、媒体の遠隔アドレス、およびコンタクト・アドレスの移送ポートの１つまたは複数を含むことが可能である。ＳＤＰは周知であり、３ＧＰＰ２  Ｒｅｑｕｅｓｔ  ｆｏｒ  Ｃｏｍｍｅｎｔｓ（ＲＦＣ）２３２７において詳細に記載されている。
【００４６】
次いで、ＢＳ１１２は、Ａ２１インターフェースを介して、パケット・データ・ノードのＡＮ（Ａ．Ｓ０００８−Ｂ  ｖ０．２アーキテクチャ）またはＰＣＦ（Ａ．Ｓ０００９−Ｂ  ｖ０．２アーキテクチャ）など、パケット・データ・ノード１３４にＳＩＰ招待メッセージを送信する。再び、ＢＳ１１２は、ＡＤＤＳメッセージのＡＤＤＳユーザ・パート要素のアプリケーション・データ・メッセージ・フィールドにおいてメッセージを含むＡＤＤＳメッセージ、またはＤＯＳデリバリ・メッセージにおいてＳＩＰ招待メッセージを含むことが可能である。次いで、パケット・データ・ノード１３４は、ＢＳ１１２から受信したメッセージをパースしてＳＩＰ招待メッセージを抽出し、ＳＩＰ招待メッセージを正規のパケット・データとしてＡ１０インターフェースを介してＰＤＳＮ１３８に送信し、データ・フローをＡＴ１０２によって指定されたＲＬＰフローにマッピングする。次いで、ＰＤＳＮ１３８は、ＳＩＰ招待をＩ／Ｓ−ＣＳＣＦ１５４に転送し（５３２）、Ｉ／Ｓ−ＣＳＣＦは、ＳＩＰ招待をＣＣＣＦ／ＮｅＤＳ１５６に転送する（５３４）。
【００４７】
ＳＩＰ招待を受信したことに応答して、ＣＣＣＦ／ＮｅＤＳ１５６は、ＳＤＰ提案と、ＳＤＰ提案の受信者、すなわち遠隔端点１７２に関連付けられた経路指定識別子とを備える更新されたセッション招待をアセンブルし、遠隔端点に搬送する５３６。より具体的には、ＣＣＣＦ／ＮｅＤＳ１５６は、更新されたＳＤＰ提案を有するＳＩＰ再招待をアセンブルし、ＳＩＰ再招待をＩ／ＳＣＳＣＦ１５４に搬送する５３６。次いで、Ｉ／Ｓ−ＣＳＣＦ１５４は、遠端ネットワーク１７０を介してＳＩＰ再招待を遠隔端点１７２に転送する（５３８）。
【００４８】
セッション招待に含まれるＳＤＰ提案、すなわちＳＩＰ再招待に基づいて、遠隔端点１７２は、ＳＤＰ提案を受け入れるか否かを判断する。遠隔端点１７２が提案を受け入れるとき、または対案を示唆するとき（提案の無条件拒否とは対照的に）、遠隔端点１７２は、更新されたセッション招待の受信を承認し、ＳＩＰ再招待メッセージに含まれるＳＤＰ提案または対案の受入れを遠端ネットワーク１７０を介してＩ／Ｓ−ＣＳＣＦ１５４に通知する（５４０）。好ましくは、遠隔端点１７２は、提案を承認し、受け入れたＳＤＰ提案または対案を備えるＳＩＰ応答、好ましくはＳＩＰ２００  ＯＫメッセージをアセンブルして搬送することによって、提案または対案の受入れを搬送する。Ｉ／Ｓ−ＣＳＣＦ１５４は、ＳＤＰ提案または対案の受入れ、すなわちＳＩＰ２００  ＯＫメッセージをＣＣＣＦ／ＮｅＤＳ１５６に転送する（５４２）。次いで、ＣＣＣＦ／ＮｅＤＳ１５６は、ＳＤＰ提案または対案の受入れ、すなわちＳＩＰ２００  ＯＫメッセージを回線サービス・ネットワーク１１０を介してＡＴ１０２に経路指定する。すなわち、ＣＣＣＦ／ＮｅＤＳ１５６は、Ｉ／Ｓ−ＣＳＣＦ１５４を介してＳＩＰ２００  ＯＫメッセージをＰ−ＣＳＣＦ１４０に転送する（５４４、５４６）。Ｐ−ＣＳＣＦ１４０は、ＳＩＰ２００  ＯＫメッセージをパケット・データ・ノード１３４に転送し（５４８）、パケット・データ・ノードは、Ａ２１インターフェースを介してＳＩＰ２００  ＯＫメッセージをＢＳ１１２にトンネリングさせる（５５０）。次いで、ＢＳ１１２は、ＳＤＰ提案または対案の受入れ、すなわちＳＩＰ２００  ＯＫメッセージを含むＤＢＭをアセンブルし、エア・インターフェース１０２の順方向リンク・シグナリング・チャネルまたは割り当てられた順方向リンク・トラフィック・チャネルを介してＤＢＭをＡＴ１０２に転送する５５２。
【００４９】
ＳＤＰ提案または対案の受入れ、すなわちＳＩＰ２００  ＯＫメッセージを受信したことに応答して、ＡＴ１０２は、遠隔端点１７２に対して、遠隔端点１７２がＡＴのＳＤＰ提案を受け入れるという受信、またはＡＴが遠隔端点の対案を受け入れるという受信を承認する。好ましくは、ＡＴ１０２は、ＳＩＰ  ＡＣＫをアセンブルして、それをエア・インターフェース１０４の逆方向リンク・シグナリング・チャネルを介してＢＳ１１２に搬送することによって（５５４）、遠隔端点１７２がＡＴのＳＤＰ提案を受け入れるという受信、またはＡＴが遠隔端点の対案を受け入れるという受信を承認する。再び、ＡＴ１０２は、ＤＯＳオーバＤＢＭシグナリングを使用してＳＩＰ  ＡＣＫをＢＳ１１２に送信することが可能であり、ＤＢＭは、パケット・データ・ネットワーク１３０を行先とするとしてデータ・バーストを識別するＳＯ５９などのＨＲＰＤサービス選択肢（ＳＯ）およびパケット・データが送信されるＨＲＰＤ  ＲＬＰフローの識別を備えるデータ・フィールドをさらに含むことが可能である。
【００５０】
次いで、ＢＳ１１２は、Ａ２１インターフェースを介してＳＩＰ  ＡＣＫメッセージをパケット・データ・ノード１３４に送信する。再び、ＢＳ１１２は、ＡＤＤＳメッセージのＡＤＤＳユーザ・パート要素のアプリケーション・データ・メッセージ・フィールドにおいてメッセージを含むＡＤＤＳメッセージ、またはＤＯＳデリバリ・メッセージにおいてＳＩＰ  ＡＣＫメッセージを含むことが可能である。次いで、パケット・データ・ノード１３４は、ＢＳ１１２から受信したメッセージをパースして、ＡＴのＳＤＰ提案を受け入れるという承認、またはＡＴが遠隔端点の対案を受け入れるという承認、すなわちＳＩＰ  ＡＣＫをメッセージから抽出し、ＳＩＰ  ＡＣＫを正規のパケット・データとしてＰ−ＣＳＣＦ１４０に転送する５５８。ＡＴ１０２は、ＤＨＣＰ（動的階層コントロール・プロトコル）を使用してＰ−ＣＳＣＦ１４０のアドレスを発見することが可能であり、または、Ｐ−ＣＳＣＦのアドレスは、ＡＴにおいて構成されることが可能である。Ｐ−ＣＳＣＥ１４０は、ＳＩＰ  ＡＣＫをＩ／Ｓ−ＣＳＣＦ１５４に転送し（５６０）、Ｉ／Ｓ−ＣＳＣＦは、ＳＩＰ  ＡＣＫをＣＣＣＦ／ＮｅＤＳ１５６に転送する（５６２）。次いで、ＣＣＣＦ／ＮｅＤＳ１５６は、Ｉ／Ｓ−ＣＳＣＦ１５４および遠端ネットワーク１７０を介してＳＩＰ  ＡＣＫを遠隔端点１７２に経路指定する（５６４、５６６）。
【００５１】
さらに、ＳＩＰ２００  ＯＫメッセージを受信したことに応答して、ＡＴ１０２は、ハンドオフ・ステータス・メッセージを備えるＤＢＭをアセンブルしてＢＳ１１２に搬送することによって（５６８）、パケット・データ・ネットワーク１３０、より具体的にはパケット・データ・ノード１３４にハンドオフされることを要求する。ハンドオフ・ステータス・メッセージを受信したことに応答して、ＢＳ１１２は、パケット・データ・ネットワークにハンドオフすることをＡＴに命令し、かつエア・インターフェース１３２のトラフィック・チャネルに関連付けられたトラフィック・チャネル割当て情報と、パケット・データ・ノード１３４からＢＳによって受信されたＡ２１−リソース予約応答メッセージに含まれていたＡＴ１０２に割り当てられたＵＡＴＩとをさらに備えるＤＢＭをＡＴ１０２に搬送する（５７０）。ハンドオフする命令、エア・インターフェース１３２のトラフィック・チャネルに関連付けられたトラフィック・チャネル割当て情報、およびＵＡＴＩを受信したことに応答して、ＡＴ１０２は、パケット・データ・ネットワーク１３０、より具体的にはエア・インターフェース１３２の順方向リンク・シグナリング・チャネルおよび割り当てられたトラフィック・チャネルの１つまたは複数に同調し、周知の技法に従ってエア・インターフェース１３２およびパケット・データ・ノード１３４を介してＰＤＳＮ１３８とＰＰＰ（ポイント・ツー・ポイント・プロトコル）通信セッションを確立する５７２。次いで、ＰＤＳＮ１３８は、ボコード・スピーチが好ましくはＲＴＰ／ＵＤＰ／ＩＰフォーマットでフォーマットされてデータ・パケットにおいて遠端ネットワークに搬送される際に介する遠端ネットワーク１７０を介して、遠隔端点１７２とベアラ経路をセットアップする。このようにして、パケット・データ・ネットワーク１３０、具体的にはパケット・データ・ノード１３４は、パケット・データＶｏＩＰコールにおいてＡＴ１０２を獲得する。
【００５２】
さらに、ＳＩＰ  ＡＣＫメッセージを受信したことに応答して、ＣＣＣＦ／ＮｅＤＳ１５６は、回線サービス・ネットワーク１１０が音声コールのレッグの終端まで支援および維持を続けた音声コールのレッグの終端を開始する。より具体的には、ＳＩＰ  ＡＣＫメッセージを受信したことに応答して、ＣＣＣＦ／ＮｅＤＳ１５６は、ＳＩＰ  ＢＹＥをＩ／Ｓ−ＣＳＣＦ１５４に搬送し（５７４）、Ｉ／Ｓ−ＣＳＣＦは、ＳＩＰ  ＢＹＥメッセージをＭＧＣＦ１２４に転送する。ＳＩＰ  ＢＹＥメッセージを受信したことに応答して、ＭＧＣＦ１２４は、ＭＧＷ１２２が、好ましくは終端をベアラ経路から「減算し」、すなわち除去し、それによりＭＧＷを音声コールのベアラ経路から除去するためにＭｅｇａｃｏサブトラクトを使用することによって、ＭＧＷの一時的な終端を「減算する」ことを要求する。さらに、ＳＩＰ  ＢＹＥメッセージを受信したことに応答して、ＭＧＣＦ１２４は、好ましくはＩＳＵＰ：ＲＥＬメッセージをＭＳＣに搬送することによって、ＭＳＣ１２０が回線サービス・ネットワーク１１０によって割り付けられたリソースをＡＴ１０２に放出することを要求する（５７８）。
【００５３】
リソースを放出する要求をＭＧＣＦ１２４から受信したことに応答して、ＭＳＣ１２０は、好ましくはＣＬＥＡＲ  ＣＯＭＭＡＮＤメッセージをＢＳに搬送することによって、ＢＳにおいて割り付けられたリソースを音声コールについてＡＴ１０２に放出する要求をＢＳ１１２に搬送する（５８０）。リソース放出要求をＭＳＣ１２０から受信したことに応答して、ＢＳ１１２は、リソースを放出し、好ましくはＣＬＥＡＲ  ＣＯＭＰＬＥＴＥメッセージをＭＳＣに搬送することによって、ＡＴ１０２に割り付けられたリソースが放出されたことをＭＳＣ１２０に通知する（５８２）。音声コールについてＡＴ１０２に割り付けられたリソースが放出されたことをＢＳ１１２によって通知されたことに応答して、ＭＳＣ１２０は、音声コールについてＡＴ１０２に割り付けられたＴＤＭトランク・リソースを放出し、好ましくはＩＳＵＰ：ＲＬＣメッセージをＭＧＣＦに搬送することによって、音声コールについてＡＴ１０２に割り付けられたリソースが放出されたことをＭＧＣＦ１２４に通知する（５８４）。次いで、音声コールについてＡＴ１０２に割り付けられたリソースが放出されたことをＭＳＣ１２０によって通知されたことに応答して、ＭＧＣＦ１２４は、Ｉ／Ｓ−ＣＳＣＦから受信したＳＩＰ  ＢＹＥメッセージの承認、好ましくはＳＩＰ２００  ＯＫメッセージをＩ／Ｓ−ＣＳＣＦに搬送することによって、回線サービス・ネットワーク１１０によって維持される音声コールのレッグが終端されたことをＩ／Ｓ−ＣＳＣＦ１５４に通知する（５８６）。次いで、Ｉ／Ｓ−ＣＳＣＦ１５４は、ＣＣＣＦ／ＮｅＤＳがＩ／Ｓ−ＣＳＣＦに送信したＳＩＰ  ＢＹＥメッセージの承認、すなわちＳＩＰ２００  ＯＫメッセージを転送することによって、回線サービス・ネットワーク１１０によって維持される音声コールのレッグが終端されたことをＣＣＣＦ／ＮｅＤＳ１５６に通知する５８８。ＳＩＰ２００  ＯＫメッセージを受信したことに応答して、ＣＣＣＦ／ＮｅＤＳ１５６は、当技術分野において既知であるように、ＡＴ１０２および遠隔端点１７２のそれぞれとセッション開始プロトコル（ＳＩＰ）ダイアログをセットアップし（５９０、５９２）、次いで、ベアラ経路が、ＡＴ１０２と遠隔端点１７２の間において音声情報を転送するために確立される（５９４）。次いで、信号流れ図５００は終了する。
【００５４】
ＢＳ１１２と無線パケット・データ・ノード１３４の間においてＡ２１インターフェースを使用し、かつＢＳ１１２とＡＴ１０２の間においてＤＯＳオーバＤＢＭシグナリングを使用することによって、通信システム１００は、ＡＴと無線パケット・データ・ノードの間で回線サービス・ネットワーク１１０を介してＳＩＰメッセージングをトンネリングさせ、パケット・データ・ネットワークから回線サービス・ネットワーク１１０、さらに回線サービス・ネットワークを介してＡＴに、ＨＲＰＤトラフィック・チャネル情報およびＨＲＰＤ識別子をトンネリングさせることができる。このようにして、ＡＴがパケット・データ・ネットワークとコール・ダイアログを確立する前に、ＡＴ１０２が関与する音声コールを回線サービス・ネットワーク１１０からパケット・データ・ネットワーク１３０にハンドオフすることが開始されることが可能である。パケット・データ・ネットワーク１３０、具体的には無線パケット・データ・ノード１３４とＡＴ１０２の間において回線サービス・ネットワーク１１０を介してハンドオフ情報を交換することを容易にすることによって、ハンドオフの待ち時間の遅延を低減することが可能である。
【００５５】
より具体的には、ＢＳ１１２は、回線交換音声コールを支援しながら、コールをハンドオフすることを決定し、コールをパケット・データ・ネットワーク１３０にハンドオフする要求をＡ２１インターフェースを介して無線パケット・データ・ノード１３４に搬送する。要求を受信したことに応答して、無線パケット・データ・ノード１３４は、ＡＴ１０２に関連付けられたアクセス端末識別子を決定し、アクセス端末識別子およびトラフィック・チャネル割当て情報をＡ２１インターフェースを介してＢＳ１１２に搬送する。アクセス端末識別子の決定において、パケット・データ・ノード１３４は、ＡＴ１０２がパケット・データ・ネットワークにおいてアンカリングされたパケット・データ・セッションを有するかを判断する。ＡＴ１０２がパケット・データ・ネットワーク１３０においてパケット・データ・セッションを有するとき、パケット・データ・ノード１３４は、ＭＳ／ＡＴのパケット・データ・セッションに関連付けられるアクセス端末識別子を決定することによってアクセス端末識別子を決定することが可能である。ＡＴ１０２がパケット・データ・ネットワーク１３０においてアンカリングされたパケット・データ・セッションを有していないとき、パケット・データ・ノードは、以前に予約されたパケット・データ・セッションおよびアクセス端末識別子をＡＴに割り当てることによって、アクセス端末識別子を決定する。次いで、ＢＳ１１２は、ＡＴがパケット・データ・ネットワーク１３０とコール／ＳＩＰダイアログを確立する前に、アクセス端末識別子、パケット・データ・トラフィック・チャネル情報、および新しいアクティブ・セットをＡＴに搬送することが可能である。次いで、パケット・データ・ノード１３４は、アクセス端末を獲得し、ＢＳ１１２は、コールの回線交換レッグを終端することが可能である。
【００５６】
特定の実施形態を参照して本発明を具体的に図示および説明したが、当業者なら、添付の特許請求の範囲に述べられる本発明の範囲から逸脱せずに、本発明の要素について様々な変更が行われ、かつ等価物が代用されることが可能であることを理解するであろう。したがって、本明細書および図は、限定ではなく例示と見なされるべきであり、そのようなすべての変更および代用は、本発明の範囲内に含まれることを意図する。
【００５７】
利益、他の利点、および問題に対する解決法が、特定の実施形態に関して上記で説明された。しかし、その利益、利点、問題に対する解決法、および任意の利益、利点、または解決法が生じ、またはより顕著になることをもたらす可能性がある任意の要素は、いずれかまたはすべての特許請求の範囲の必須、必要、もしくは本質的な特徴または要素であると解釈されるべきではない。本明細書において使用される際、「備える」、「備える」という用語、またはその任意の変形は、要素の列挙を備える工程、方法、物品、または装置が、それらの要素のみを含むのではなく、明らかには列挙されていない他の要素、あるいはそのような工程、方法、物品、または装置に固有ではない他の要素を含むことが可能であるように、非限定的に含むことに及ぶことを意図する。本明細書において使用される「含む」および／または「有する」という用語は、備えると定義される。さらに、本明細書において特に断りのない限り、第１および第２、上部および底部などの関係を示す用語の使用は、あるとしても、１つのエンティティまたは行為を他のエンティティまたは行為から区別するためにのみ使用され、そのようなエンティティ間または行為間において実際にそのような関係または順序を必ずしも必要とせず、あるいは意図するものではない。
【図面の簡単な説明】
【００５８】
【図１】本発明の様々な実施形態による無線通信システムのブロック図。
【図２】本発明の実施形態によるハイブリッド・アクセス端末のブロック図。
【図３】本発明の実施形態による基地局のブロック図。
【図４】本発明の実施形態によるパケット・データ・ノードのブロック図。
【図５Ａ】本発明の様々な実施形態による、図１の回線サービス・ネットワークから図１のパケット・データ・ネットワークへの通信セッションのハンドオフにおいて図１の通信システムによって実行される方法の信号流れ図。
【図５Ｂ】本発明の様々な実施形態による、図１の回線サービス・ネットワークから図１のパケット・データ・ネットワークへの通信セッションへのハンドオフにおいて図１の通信システムによって実行される方法を示す図５Ａの信号流れ図の続きの図。
【図５Ｃ】本発明の様々な実施形態による、図１の回線サービス・ネットワークから図１のパケット・データ・ネットワークへの通信セッションのハンドオフにおいて図１の通信システムによって実行する方法を示す図５Ａおよび５Ｂの信号流れ図の続きの図。
【図１】
2009539328.tif 000003
【図２】
2009539328.tif 000004
【図３】
2009539328.tif 000005
【図４】
2009539328.tif 000006
【図５Ａ】
2009539328.tif 000007
【図５Ｂ】
2009539328.tif 000008
【図５Ｃ】
2009539328.tif 000009
【国際調査報告】
2009539328.tif 000010